(57)【要約】両面カミソリの一実施形態は、ハンドル及び前記ハンドルに取り付けられたカートリッジを備え、前記カートリッジは、第１のかみそり側面及び第２のかみそり側面をさらに備え、前記カートリッジは、第１及び第２のかみそり側面間で前記ハンドルに対して切り換え可能である。【選択図】図１
2018503454.tif 000002
【特許請求の範囲】
【請求項１】
両面カミソリであって、
ａ）ハンドルと、前記ハンドルに取り付けられたカートリッジとを備え、
ｂ）前記カートリッジは、第１のかみそり側面及び第２のかみそり側面（ｓｈａｖｉｎｇ  ｓｉｄｅ）をさらに備え、前記カートリッジは、前記第１及び第２のかみそり側面間で前記ハンドルに対して切り換え可能であり、そして、
ｃ）前記カートリッジは、前記カミソリの正常な使用中に前記第１のかみそり側面と前記第２のかみそり側面との間で前記カートリッジの不注意な切り換えを抑制する前記第１のかみそり側面と第２のかみそり側面との間に形成されたインタラプトをさらに備える両面カミソリ。
【請求項２】
前記カートリッジと前記ハンドルとの間に形成されたハンドル延長部をさらに備え、前記インタラプトは、前記ハンドル延長部と相互作用して、前記カミソリの正常な使用中に前記第１のかみそり側面と第２のかみそり側面との間の前記カートリッジの不注意な切り換えを防止する請求項１に記載の両面カミソリ。
【請求項３】
傾斜したハンドル延長部をさらに備える請求項２に記載の両面カミソリ。
【請求項４】
前記傾斜したハンドル延長部は、前記ハンドルの一部内に定着された連結ブロック上に配置される請求項３に記載の両面カミソリ。
【請求項５】
前記ハンドルに対して前記カートリッジの移動をガイドする前記傾斜したハンドル延長部に隣接したガイドピンをさらに備える請求項４に記載の両面カミソリ。
【請求項６】
前記ガイドピンは、前記連結ブロックを介して延長される請求項５に記載の両面カミソリ。
【請求項７】
前記カートリッジを前記ハンドルから分離させるために、前記連結ブロックに対して移動可能な前記連結ブロック内に収容されたスライダバーをさらに備える請求項６に記載の両面カミソリ。
【請求項８】
前記第１のかみそり側面は、複数の第１のブレードをさらに備え、前記第２のかみそり側面は、複数の第２のブレードをさらに備える請求項１に記載の両面カミソリ。
【請求項９】
第２のブレードと互いに異なる個数の第１のブレードがある請求項８に記載の両面カミソリ。
【請求項１０】
同じ個数の第１及び第２のブレードがあり、それぞれの第１のブレードは、それぞれの第２のブレードと各々連関される請求項８に記載の両面カミソリ。
【請求項１１】
それぞれの第１及び第２のブレードは、一体に形成される請求項１０に記載の両面カミソリ。
【請求項１２】
それぞれの第１及び第２のブレードは、支持プラットホームにより取り付けられる請求項１０に記載の両面カミソリ。
【請求項１３】
前記第１及び第２のかみそり側面は、同じ外観を有する請求項１に記載の両面カミソリ。
【請求項１４】
前記第１及び第２のかみそり側面は、互いに異なる外観を有する請求項１に記載の両面カミソリ。
【請求項１５】
少なくとも１つの側面上に保湿ストリップ及び把持パッドのうち、少なくとも１つをさらに備える請求項１に記載の両面カミソリ。
【請求項１６】
両側面上に保湿ストリップ及び把持パッドのうち、少なくとも１つをさらに備える請求項１５に記載の両面カミソリ。
【請求項１７】
前記第１のかみそり側面は、第１のかみそり領域及び第１の移動軌跡をさらに備え、前記第２のかみそり側面は、第２のかみそり領域及び第２の移動軌跡をさらに備え、前記インタラプトは、前記第１及び第２の移動軌跡の交差点で定義される請求項１に記載の両面カミソリ。
【請求項１８】
前記第１及び第２の移動軌跡は、前記第１及び第２のかみそり領域と各々独立的な請求項１７に記載の両面カミソリ。
【請求項１９】
前記第１及び第２の移動軌跡は、前記第１及び第２のかみそり領域及び前記インタラプト間で各々形成される請求項１８に記載の両面カミソリ。
【請求項２０】
前記第１及び第２の移動軌跡及び前記インタラプトは、一体に形成される請求項１７に記載の両面カミソリ。
【請求項２１】
前記ハンドルに対する前記カートリッジの位置によって前記第１の移動軌跡または前記第２の移動軌跡と結合する前記ハンドルと前記カートリッジとの間に形成されたガイドピンをさらに備える請求項１７に記載の両面カミソリ。
【請求項２２】
前記ガイドピンは、前記ハンドルに偏向（ｂｉａｓ）される請求項２１に記載の両面カミソリ。
【請求項２３】
前記第１及び第２のかみそり側面は、それぞれの移動軌跡に隣接した少なくとも１つの把持パッドをさらに備える請求項２１に記載の両面カミソリ。
【請求項２４】
前記インタラプトは、前記ハンドルの方向に前記カートリッジから下に向けてぶら下げられる請求項１に記載の両面カミソリ。
【請求項２５】
前記カートリッジと前記ハンドルとの間に形成されたガイドピンをさらに備え、前記インタラプトは、前記カミソリの正常な使用中に前記第１のかみそり側面と前記第２のかみそり側面との間の前記カートリッジの不注意な切り換えを防止するために、前記ガイドピンと相互作用する請求項１に記載の両面カミソリ。
【請求項２６】
前記ガイドピンは、前記ハンドルに偏向される請求項２５に記載の両面カミソリ。
【請求項２７】
前記ガイドピンは、前記ハンドルに固定される請求項２５に記載の両面カミソリ。
【請求項２８】
前記カートリッジが前記ハンドルに対して旋回（ｐｉｖｏｔ）するスイベルアーム連結（ｓｗｉｖｅｌ  ａｒｍ  ｃｏｎｎｅｃｔｉｏｎ）により前記カートリッジは、前記ハンドルに取り付けられる請求項１に記載の両面カミソリ。
【請求項２９】
前記スイベルアーム連結は、前記ハンドルに永久的に固定される請求項２８に記載の両面カミソリ。
【請求項３０】
前記スイベルアーム連結は、前記カートリッジに取り付けられて組立体を形成し、前記組立体は、前記第１及び第２のかみそり側面間で前記ハンドルに対してカートリッジを切り換えるために、前記ハンドルから分離可能な請求項２８に記載の両面カミソリ。
【請求項３１】
前記第１のかみそり側面は、第１のかみそり領域及び第１の移動軌跡をさらに備え、前記第２のかみそり側面は、第２のかみそり領域及び第２の移動軌跡をさらに備え、前記スイベルアーム連結は、前記第１及び第２運動軌跡に隣接した前記カートリッジに取付可能な請求項２８に記載の両面カミソリ。
【請求項３２】
前記スイベルアーム連結は、前記カートリッジ内の開口（ｏｐｅｎｉｎｇ）と結合される結合ピン（ｅｎｇａｇｅｍｅｎｔ  ｐｉｎ）をさらに備え、前記カートリッジは、前記結合ピンに対して旋回可能な請求項３１に記載の両面カミソリ。
【請求項３３】
前記スイベルアーム連結は、前記カートリッジの旋回を制限する当接部（ａｂｕｔｍｅｎｔ  ｐｏｒｔｉｏｎ）をさらに備える請求項２８に記載の両面カミソリ。
【請求項３４】
前記第１及び第２のかみそり側面の一部を共に保有する端部キャップ（ｅｎｄ  ｃａｐ）、及び前記結合開口を含む前記端部キャップと関係ないエッジ領域をさらに備える請求項３２に記載の両面カミソリ。
【請求項３５】
前記ハンドルは、前記第１及び第２のかみそり側面間で前記カートリッジを切り換えるための回転ジョイントをさらに備える請求項１に記載の両面カミソリ。
【請求項３６】
前記ハンドルは、前記第１及び第２のかみそり側面間で前記カートリッジを切り換えるための磁気連結（ｍａｇｎｅｔｉｃ  ｃｏｎｎｅｃｔｉｏｎ）をさらに備える請求項１に記載の両面カミソリ。
【請求項３７】
前記第１及び第２のかみそり側面は、スナップ結合、プレスフィット結合、超音波溶接結合、または熱溶接結合のうちの１つにより結合される請求項１に記載の両面カミソリ。
【請求項３８】
両面カミソリであって、
ａ）ハンドルと、前記ハンドルに取り付けられたカートリッジとを備え、
ｂ）前記カートリッジは、第１のかみそり側面及び第２のかみそり側面をさらに備え、前記カートリッジは、前記第１及び第２のかみそり側面間で前記ハンドルに対して切り換え可能であり、そして、
ｃ）前記カートリッジは、前記ソケットと結合するジョイントをさらに備え、前記カートリッジは、前記ジョイントの前記ソケットとの結合を介して前記第１及び第２のかみそり側面間で切り換え可能な両面カミソリ。
【請求項３９】
前記ソケットは、前記ハンドル内にある請求項３８に記載の両面カミソリ。
【請求項４０】
カミソリハンドルに取り付けるための両面カミソリカートリッジであって、
ａ）第１のかみそり側面及び第２のかみそり側面（前記カートリッジは、前記第１及び第２のかみそり側面間で前記カミソリハンドルに対して切り換え可能である）と、
ｂ）前記カミソリの正常な使用中に前記第１及び第２のかみそり側面間で前記カートリッジの不注意な切り換えを禁止する前記第１のかみそり側面と前記第２のかみそり側面との間に形成された下向き式インタラプト（ｄｏｗｎｗａｒｄｌｙ  ｄｅｐｅｎｄｉｎｇ  ｉｎｔｅｒｒｕｐｔ）と、
を備える両面カミソリカートリッジ。
【請求項４１】
前記第１のかみそり側面は、第１のかみそり領域及び第１の移動軌跡をさらに備え、前記第２のかみそり側面は、第２のかみそり領域及び第２の移動軌跡をさらに備え、前記インタラプトは、前記第１及び第２の移動軌跡の交差点で定義される請求項４０に記載の両面カミソリカートリッジ。
【請求項４２】
前記第１及び第２の移動軌跡及び前記インタラプトは、一体に形成される請求項４１に記載の両面カミソリカートリッジ。
【請求項４３】
前記第１及び第２のかみそり側面は、それぞれの移動軌跡に隣接した少なくとも１つの把持パッドをさらに備える請求項４２に記載の両面カミソリカートリッジ。
【請求項４４】
前記第１及び第２のかみそり側面は、ブレード領域、前記ブレード領域に隣接した第１のエッジ領域、及び前記ブレード領域でない領域に隣接した第２のエッジ領域をさらに備える請求項４３に記載の両面カミソリカートリッジ。
【請求項４５】
前記第２のエッジ領域は、前記少なくとも１つの把持パッドに隣接する請求項４４に記載の両面カミソリカートリッジ。
【請求項４６】
前記第１及び第２のかみそり側面は、スナップ結合、プレスフィット結合、超音波溶接結合、または熱溶接結合のうちの１つにより結合される請求項４０に記載の両面カミソリカートリッジ。
【請求項４７】
カミソリハンドルに取り付けるための両面カミソリカートリッジ組立体であって、
ａ）スイベルアーム連結と、
ｂ）前記スイベルアーム連結に旋回されるように取り付けられたカミソリカートリッジ（前記カミソリカートリッジは、第１のかみそり側面、第２のかみそり側面、及び前記第１及び第２のかみそり側面間に形成されたインタラプトを有し、前記カートリッジは、前記第１及び第２のかみそり側面間でカミソリハンドルに切り換え可能である）と、
を備え、
ｃ）前記第１のかみそり側面は、第１のかみそり領域及び第１の移動軌跡をさらに備え、前記第２のかみそり側面は、第２のかみそり領域及び第２の移動軌跡をさらに備え、スイベルアーム連結は、前記第１及び第２運動軌跡に隣接した前記カートリッジに取付可能であり、及び
ｄ）前記第１及び第２運動軌跡と前記インタラプトとが一体に形成されるカミソリカートリッジ組立体。
【請求項４８】
前記スイベルアーム連結は、前記カートリッジの開口と結合する結合ピンをさらに備え、前記カートリッジは、前記結合ピンに対して旋回可能な請求項４７に記載のカミソリカートリッジ組立体。
【請求項４９】
前記カートリッジの開口は、前記第１及び第２の移動軌跡に隣接した請求項４８に記載のカミソリカートリッジ組立体。
【請求項５０】
両面カミソリを使用する方法であって、
ａ）ハンドルに取り付けられたカートリッジを有するカミソリを提供するステップ（前記カートリッジは、第１のかみそり側面及び第２のかみそり側面をさらに備える）と、
ｂ）前記ハンドルに対する前記カートリッジの方向を前記第１のかみそり側面から前記第２のかみそり側面に切り換えるステップと、
を含む両面カミソリ使用方法。
【請求項５１】
前記方向を切り換えるステップは、前記ハンドルの第１の側面に向ける前記第１のかみそり側面と前記ハンドルの第２の側面に向ける前記第２のかみそり側面とを有する前記ハンドルから前記カートリッジを分離するステップと、前記カートリッジを前記ハンドルの第１の側面に向ける前記第２のかみそり側面及び前記ハンドルの前記第２の側面に向ける前記第１のかみそり側面と配向させるステップと、前記ハンドルの前記第１の側面に向ける前記第２のかみそり側面及び前記ハンドルの前記第２の側面に向ける前記第１のかみそり側面を有する前記ハンドルに前記カートリッジを再取付させるステップとをさらに含む請求項５０に記載の両面カミソリ使用方法。
【請求項５２】
前記方向を切り換えるステップは、前記カートリッジを前記ハンドルから分離するステップと、前記カートリッジを軸周りにフリップ（ｆｌｉｐ）するステップと、前記カートリッジを前記ハンドルに再取付させるステップとをさらに含む請求項５１に記載の両面カミソリ使用方法。
【請求項５３】
前記方向を切り換えるステップは、前記カートリッジと前記ハンドルとの間に形成された可撓性バリヤを越えるように、前記カートリッジを強制するステップをさらに含む請求項５０に記載の両面カミソリ使用方法。
【発明の詳細な説明】
【関連出願の相互参照】
【０００１】
本出願は、２０１５年２月１日に出願された米国仮出願第６２／１１０，５９５号及び２０１５年１１月２日に出願された米国仮出願第６２／２４９，５７８号の優先権を主張し、これらのそれぞれの内容は、本明細書において全体として参照される。
【技術分野】
【０００２】
本発明は、一般に、カミソリシステムに関し、より詳細には、カミソリシステムのための交替可能な両面ブレードユニットに関する。
【背景技術】
【０００３】
通常的なカミソリは、一般に、カミソリヘッドまたはカートリッジの一面にのみ１〜５個のブレードを有し、ブレードが鈍くなると（ｄｕｌｌ）、カミソリまたはカートリッジは捨てられるようになる。一般的な消費者は、大体使い捨てカミソリまたは、交替カートリッジ類型カミソリを購入する。使い捨てカミソリの値段は少し高い傾向があることに対し、交替カートリッジ類型カミソリの値段が最も高い傾向がある。１つの問題は、消費者がカートリッジがあるカミソリに高い値を支払い、交替用カートリッジ値がより高いが、カートリッジ交替で得るカミソリの量は、使い捨てカミソリよりあまり大きくないということである。また、従来の使い捨てカミソリ及び交替用カートリッジは、露出したブレードまたは、ブレードのうちの一面のみを使用して、カミソリまたはカートリッジの寿命が制限的であった。
【発明の概要】
【発明が解決しようとする課題】
【０００４】
両面カミソリは、消費者がカミソリシステムまたはカートリッジを備えることにより、消費者がカートリッジの両面を使用できるようにすることで、より長いカミソリを可能なようにし、したがって、カミソリ代替品を多く購買する必要がなくて消費者のお金を節約でき、これにより、カートリッジは、緑色親和的で、環境に有利である。本発明のカミソリシステムは、消費者に両面カミソリを提供し、品質を維持して消費者のお金を節約することにより、さらに他の選択のカミソリを可能なようにする。本発明の実施形態は、一般カミソリ及びカートリッジと同様に、カミソリを２倍にして、消費者がお金を節約し、環境を保護できるようにする。このような方式によって消費者は、１年にカミソリに払うお金を少なくすることができ、埋立地にカートリッジを少なく送り、環境を保護できる。
【課題を解決するための手段】
【０００５】
一実施形態において、両面カミソリカートリッジには、１〜５個（または、それ以上）のブレードがあり、それぞれのブレードは、ブレードの各側面を介して髪を剃るための鋭いエッジを有する。このような方式により、消費者は、鈍くなるまでカミソリまたはカミソリカートリッジの一面を使用でき、カミソリまたはカミソリカートリッジの他面を使用して２倍も長く髪を剃ることができる。本発明のカミソリシステムの一実施形態は、カミソリ用に使用されないか、カミソリ用にデザインされていないかみそりブレードの他面を浪費する代わりに、かみそりブレードの両面を使用する。一実施形態において、ユーザは、両面カミソリカートリッジをハンドルから分離し、カートリッジをフリップしたりひっくり返すか、カートリッジをハンドルに再取付することにより、カートリッジの他の側面が髪を剃るために露出することができる。その後、ユーザは、鈍くなるまでかみそりの刃の第２の側面を使用し、カミソリハンドルに新しい両面カートリッジを適用することにより、消費者がかみそりブレードまたはカートリッジ両面を使用してカミソリを２倍に増やすことができる。他の実施形態において、ユーザは、ハンドルからカートリッジを除去せずに、カートリッジの第１の側面と第２の側面との間を切り換えるであろう。カミソリカートリッジをハンドルで連結したり分離する方法には種々があり、カミソリカートリッジの第１及び第２の側面を使用し、第１及び第２の側面をフリップする方法には種々がある。特定の実施形態が本明細書に説明されたが、他の実施形態が考慮され得る。
【０００６】
一実施形態において、ユーザは、既に取り付けられた両面カートリッジとともに提供されるカミソリシステムを購入できる。または、ユーザは、交替用カートリッジを購入し、既存の両面カミソリカートリッジを交替できる。
【０００７】
両面使い捨てカミソリでデザインされた両面カミソリの実施形態は、ここで説明された代替可能なカートリッジ及び要素のあらゆる仕様を有することができる。両面使い捨てカミソリは、あらゆる形状、デザイン、サイズになることができ、現在知られた、または未来に開発される材料の組み合わせで作ることができる。また、説明されたカミソリ、カミソリシステム、及びカミソリカートリッジの様々な部品及び要素の位置または配置は多様でありうるし、所望のとおりに相互交換または再配置されることができる。両面使い捨てカミソリと両面非使い捨てカミソリとの間の非制限的な差異点は、使い捨てカミソリのかみそりブレードとカートリッジとが安い材料で作られ、制限された回数としてのみ使用するようにデザインされて廃棄されることができるということである。代案的に、カートリッジは、プラスチック、ゴム、金属、または他の材料、あるいは材料の組み合わせで製造されることができる。一実施形態において、特定物質は、例えば、湿っぽい条件下においてカートリッジの把持を容易なようにするのに使用されることができる。また、様々な表面は、テクスチャまたはカートリッジの把持を容易なようにする他の把持表面を含むことができる。
【０００８】
カートリッジの実施形態は、他の構成要素とともに例えば、スナップフィット、熱溶接、超音波溶接、ねじ結合、プレスフィット、または現在知られた、あるいは未来に開発される任意の他の類型の組立方法または組立方法の組み合わせにより組み立てられることができる。
【発明の効果】
【０００９】
使い捨てカミソリカートリッジの実施形態は、特定カミソリ、またはカミソリシステム、あるいは特定ハンドルにのみ適合するようにデザインされることができ、特定の他の構造と互換されないことがある。特定の実施形態により、使い捨てでデザインされたハンドルを有するカミソリシステムのような特定ハンドルとの結合のためにカートリッジがデザインされ得るか、使い捨てでデザインされた特定カートリッジのみと使用され得ることに対し、特定の実施形態では、使い捨てでないハンドルを有するカミソリシステムがこのような使い捨てでないハンドルと結合するようにデザインされた特定非使い捨てカートリッジにのみ使用することができる。他の実施形態等、構造、及び結合が考慮される。
【図面の簡単な説明】
【００１０】
図１は、本発明のカミソリの一実施形態の前方斜視図、図２は、背面斜視図、図３は、正面図、図４は、側面図であり、図５は背面図である。
【００１１】
図６は、図１のカミソリの部分展開図の一実施形態である。
【００１２】
図７は、図４のカミソリの部分展開図の一実施形態である。
【００１３】
図８Ａは、図１７のカミソリの分解図の一実施形態である。
【００１４】
図８Ｂは、図２のカミソリの分解図の一実施形態である。
【００１５】
図９Ａは、本発明に係るカミソリの一部の分解正面図の一実施形態である。
【００１６】
図９Ｂは、本発明に係るカミソリの一部の分解斜視図の一実施形態である。
【００１７】
図１０は、本発明に係るカミソリハンドルの一部の一実施形態である。
【００１８】
図１１Ａは、図９Ａ及び図１Ｂに示された構成要素等の組立体の斜視図の断面の一実施形態である。
【００１９】
図１１Ｂ〜図１１Ｃは、本発明の構成要素等の組立体の他の実施形態を示す。
【００２０】
図１２Ａは、上部から見た正面斜視図、図１２Ｂは、上部で取った後方斜視図、図１２Ｃは、底面で見た正面斜視図であり、図１２Ｄ及び図１２Ｅは、本発明に係るカミソリの連結ブロックの一部の一実施形態の底面で取った後方斜視図である。
【００２１】
図１２Ｆは、本発明に係るカミソリの連結ブロックの他の実施形態である。
【００２２】
図１２Ｇは、連結ブロックを含むカミソリの正面斜視図において、図１２Ｆの連結ブロックに固定されたスイベルアーム連結を示す。
【００２３】
図１３は、図９Ａのカミソリの完全組み立てられた部分の断面図である。
【００２４】
図１４Ａは、本発明に係るカートリッジの一実施形態の正面図であり、図１４Ｂは、平面図、図１４Ｃは、底面図、図１４Ｄは、側面図、図１４Ｅは、背面図、図１４Ｆは、底面で見た正面斜視図であり、図１４Ｇは、上部で取った後方斜視図である。
【００２５】
図１５は、本発明に係るカミソリカートリッジの分解図の一実施形態である。
【００２６】
図１６Ａは、本発明に係るカミソリカートリッジの正面図の一実施形態である。
【００２７】
図１６Ｂは、本発明に係るカミソリカートリッジの分解図の一実施形態である。
【００２８】
図１７は、本発明に係るカミソリカートリッジの分解図の一実施形態である。
【００２９】
図１８Ａは、本発明に係るかみそりブレードの分解図の一実施形態であり、図１８Ｂは、本発明に係るかみそりブレードの一実施形態の組立図である。
【００３０】
図１８Ｃは、積層された離間関係にある複数のカミソリを含むカートリッジの一実施形態の概略図である。
【００３１】
図１８Ｄは、積層された離間関係にある複数のカミソリを含むカートリッジの一実施形態の概略図である。
【００３２】
図１９Ａは、積層された離間関係にある複数のカミソリを含むカートリッジの一実施形態の概略図である。
【００３３】
図１９Ｂは、積層された離間関係にある複数のカミソリを含むカートリッジの一実施形態の概略図である。
【００３４】
図２０Ａは、本発明に係るスイベルアーム連結の一実施形態の正面図、図２０Ｂは、平面図、図２０Ｃは、底面図、図２０Ｄは、側面図、図２０Ｅ〜図２０Ｆは、上部で取った斜視図であり、図２０Ｇは、底で取った斜視図である。
【００３５】
図２０Ｈ〜図２０Ｉは、本発明に係るスイベルアーム連結の第２実施形態を示す。
【００３６】
図２１Ａ〜図２１Ｃは、スイベルアーム連結の一実施形態に係るカミソリカートリッジの一実施形態の取付の一実施形態を示す。
【００３７】
図２２Ａ〜図２２Ｂは、一実施形態のカミソリハンドルへの一実施形態のカミソリカートリッジ組立体の取付の一実施形態を示す。
【００３８】
図２３Ａ〜図２３Ｂは、一実施形態のカミソリハンドルからの一実施形態のカミソリカートリッジ組立体の分離の一実施形態を示す。
【００３９】
図２３Ｃは、一実施形態のカミソリハンドルからの一実施形態のカミソリカートリッジ組立体の分離の一実施形態を示す。
【００４０】
図２３Ｄは、一実施形態のカミソリハンドルからの一実施形態のカミソリカートリッジ組立体の分離の一実施形態を示す。
【００４１】
図２３Ｅ〜図２３Ｆは、一実施形態のカミソリハンドルからの一実施形態のカミソリカートリッジ組立体の分離の一実施形態を示す。
【００４２】
図２４は、本発明に係るカミソリ組立体の一部の断面の一実施形態である。
【００４３】
図２５Ａ〜図２５Ｂは、本発明に係るハンドルから分離されるカミソリカートリッジ組立体の一部の断面の一実施形態を示す。
【００４４】
図２６Ａは、本発明に係るカミソリの一部の一方向の一実施形態の正面で見た斜視図であり、図２６Ｂは、背面で取った斜視図である。
【００４５】
図２７Ａは、本発明に係るカミソリの一部の他の方向の一実施形態の正面で見た斜視図であり、図２７Ｂは、背面で取った斜視図である。
【００４６】
図２８Ａは、カートリッジが完全に直角方向にあるカミソリ組立体の一実施形態を示す。
【００４７】
図２８Ｂ〜図２８Ｃは、２つの相違した方向に装着したカートリッジを有する図２８Ａの実施形態の断面図である。
【００４８】
図２８Ｄは、完全に回転された方向のカートリッジを有する図２８Ａの実施形態である。
【００４９】
図２９Ａは、第２の方向のカートリッジを有する図２８Ａのカミソリ組立体を示す。  
【００５０】
図２９Ｂ〜図２９Ｃは、２つの相違した方向のカートリッジを有する図２９Ａの実施形態の断面図である。
【００５１】
図２９Ｄは、完全に回転された方向のカートリッジを有する図２９Ａの実施形態である。
【００５２】
図２９Ｅは、本発明のカミソリ組立体の一部の他の実施形態である。
【００５３】
図３０Ａ〜図３０Ｊは、図２６Ａ〜図２６Ｂのカミソリ部分の方向を図２７Ａ〜図２７Ｂの方向に変更させることを示す。
【００５４】
図３１は、本発明のカミソリの一実施形態である。
【００５５】
図３２Ａ〜図３２Ｅは、本発明のカミソリの一実施形態を示す。
【００５６】
図３３Ａ〜図３３Ｅは、本発明の一実施形態のハンドルへの一実施形態のカートリッジの取付を示す。
【００５７】
図３４Ａは、本発明のカミソリの一実施形態である。
【００５８】
図３４Ｂは、本発明のカミソリの一実施形態である。
【００５９】
図３４Ｃは、本発明のカミソリの一実施形態である。
【００６０】
図３５は、本発明のカミソリの一実施形態である。
【００６１】
図３６は、本発明のカミソリの一実施形態である。
【００６２】
図３７は、本発明のカミソリの一実施形態である。
【００６３】
図３８は、本発明のカミソリの一実施形態である。
【００６４】
図３９Ａ〜図３９Ｂは、本発明のカミソリの一実施形態を示す。
【００６５】
図４０Ａ〜図４０Ｂは、本発明のカミソリの一実施形態を示す。
【００６６】
図４１Ａ〜図４１Ｃは、本発明のカミソリの一実施形態を示す。
【００６７】
図４２Ａは、本発明のカミソリの一実施形態の前方斜視図、図４２Ｂは、背面斜視図、図４２Ｃは、平面図であり、図４２Ｄは、正面図であり、図４２Ｅは、底面図、図４２Ｆは、側面図であり、図４２Ｇは、背面図である。
【００６８】
図４３Ａは、本発明のカミソリの一実施形態の正面斜視図、図４３Ｂは、背面斜視図、図４３Ｃは、平面図であり、図４３Ｄは、正面図であり、図４３Ｅは、底面図、図４３Ｆは、側面図であり、図４３Ｇは、背面図である。
【００６９】
図４４Ａ〜図４４Ｄは、本発明のカミソリ、カミソリホルダー、及びカートリッジホルダーの一実施形態の様々な図である。
【００７０】
図４５Ａ〜図４５Ｄは、本発明の一実施形態のハンドルに対する一実施形態のカートリッジの分離、逆転、及び再取付を示す。
【００７１】
図４６Ａ〜図４６Ｃは、スイベルアームの当接部を接触させる角度地点を有する端部キャップを示す。
【００７２】
図４７Ａ〜図４７Ｅは、本発明のカミソリとともに使用され得るより大きく、丸いヘッドを示す。
【００７３】
図４８Ａ〜図４８Ｃは、本発明のカミソリの様々な図である。
【発明を実施するための形態】
【００７４】
本発明の原理による例示的な実施形態の説明は、添付された図面と関連して読み取られるように意図され、これは、添付された図面の全体における一部分とみなされなければならない。本明細書に開示された本発明の実施形態の説明において、方向（ｄｉｒｅｃｔｉｏｎ）または配向（ｏｒｉｅｎｔａｔｉｏｎ）に対する任意の参照は、単に説明の都合のためのものであり、本発明の範囲を何らかの形で制限しようとする意図ではない。「下方（ｌｏｗｅｒ）」、「上方（ｕｐｐｅｒ）」、「水平（ｈｏｒｉｚｏｎｔａｌ）」、「垂直（ｖｅｒｔｉｃａｌ）」、「上（ａｂｏｖｅ）」、「下（ｂｅｌｏｗ）」、「上に（ｕｐ）」、「下に（ｄｏｗｎ）」、「上部（ｔｏｐ）」及び「下部（ｂｏｔｔｏｍ）」のような関連用語及びその派生語、「水平に（ｈｏｒｉｚｏｎｔａｌｌｙ）」、「下向きに（ｄｏｗｎｗａｒｄｌｙ）」、「上向きに（ｕｐｗａｒｄｌｙ）」等は、議論される図面に説明された方向または図示された方向を呼ぶことと解釈されなければならない。このような相対的な用語は、単に説明の都合のためのものであり、装置が明示的に指示されない限り、特定方向に装置が構成されるか、動作されることを要求しない。「取り付けられた（ａｔｔａｃｈｅｄ）」、「付着された（ａｆｆｉｘｅｄ）」、「連結された（ｃｏｎｎｅｃｔｅｄ）」、「結合された（ｃｏｕｐｌｅｄ）」、「相互連結された（ｉｎｔｅｒｃｏｎｎｅｃｔｅｄ）」、及びこれと類似した用語は、移動式または固定型取付物あるいは関係を意味するだけでなく、構造が仲介構造（ｉｎｔｅｒｖｅｎｉｎｇ  ｓｔｒｕｃｔｕｒｅｓ）を介して直接的にまたは間接的に互いに固定されたり、取り付けられる関係を意味する。また、本発明の特徴及び利点は、例示された実施形態を参照して挙げられる。したがって、本発明は、単独でまたは他の特徴等の組み合わせで存在し得る特徴のいくつかの可能な非−制限的である組み合わせを図示する、そういう例示的な実施形態に限定されてはならず、本発明の範囲は、ここに添付された請求項等により定義される。
【００７５】
本開示は、現在考慮されるように、本発明を実施するための最善のモードまたはモード等を説明する。このような説明は、制限的な意味として解釈されることでなく、当該技術分野における通常の知識を有する者に本発明の長所及び構成について諮問を提供するために、説明の目的にのみ提示された本発明の例を添付図面を参照して提供するものである。様々な観点の図面において、同じ参照符号は、同一であるか、類似した部分を示す。
【００７６】
図１は、一実施形態のハンドル１００及び組立体６００（図６〜図７）を形成するために、好ましくは、カートリッジ３００に取り付けられた一実施形態のスイベルアーム連結５００とインターフェースされるハンドル１００内のコネクタ構造２００の一実施形態によってハンドル１００に取り付けられたブレード４００を有する一実施形態のカートリッジ３００を含むカミソリ５０の前方斜視図、図２は、背面斜視図、図３は、正面図、図４は、側面図であり、図５は、後面図であり、カートリッジ３００は、ハンドル１００から除去可能であり、使い捨て及び交替可能なように構成されることが好ましい。ハンドル及びカートリッジを含む全体カミソリが使い捨てにデザインされた他の実施形態において、スイベルアーム連結５００は、ハンドルで除去可能でなく、ハンドルに固定されることができ、カートリッジ３００は、ハンドル１００に固定されることができ、ハンドル１００から分離可能であるが、それぞれの面が両面カミソリのためにアクセスされることができる。次の説明のために、一実施形態のカミソリ５０は、本明細書において説明された正常な使用中にハンドル１００から除去可能なカートリッジ３００を有することと説明されるであろう。全ての実施形態において、ハンドル１００は、人体工学的にデザインされ、乾燥で湿っぽい状態に維持及び使用することが好ましい。カミソリ構成要素の様々な形態は、所定の形状、寸法、構成要素、配向、配置位置、構成などを有する特定構造物の観点で記述されるであろうが、本願に記述された様々な実施形態は、非−限定的観点で解釈されるように意図される。
【００７７】
ハンドル１００は、外部表面１１２を有する第１の側面１１０、第１の側面１１０に対向し、外部表面１２２を有する第２の側面１２０（図８Ａ〜図８Ｂ）、自由端部（ｆｒｅｅ  ｅｎｄ、１３０）及び自由端部１３０と対向し、カートリッジ３００とハンドル１００とを結合するための結合端部（ｅｎｇａｇｅｍｅｎｔ  ｅｎｄ、１４０）をさらに備える。ハンドル１００のそれぞれの側面１１０、１２０は、ブランディング１５２（図１、図３、図６）、質感１５４、装飾、色相、形態、スタイリングなどのような、しかし、これに限定されない表面特徴等で選択的に提供される。本実施形態では、第１の側面１１０または第２の側面１２０上に特定表面形状部１５０が図示されているが、１つまたは両側面１１０、１２０は、任意の形状、サイズの、寸法、色相、質感、深さ、触覚の様々な相違した表面フィーチャ１５０で提供されることができ、このような表面フィーチャは、無し（または、表面フィーチャの不在）から一部ないし複数の個数に至るまで種々でありうる。本実施形態において、ハンドル１００の少なくとも一側面、またはこのような実施形態において第２の側面１２０には、使用する間及び乾燥または湿潤環境でハンドル１００の全体的なグリップ感を向上させる所定の類型のテクスチャ１５４が提供されることが好ましい。表面フィーチャ１５０は、ハンドル１００の側面１１０、１２０に一体に形成されることができ、または、図８Ａ及び図８Ｂに示されたように、テクスチャ１５４は、第２の側面１２０の外部面１２２に接着されるか、または成形されるテクスチャパッド１５６として個別的に形成されることができる。したがって、表面フィーチャ１５０は、外部面１１２、１２２、またはその上に取付または形成されるか、一体的に形成され、取り付けられる組み合わせでありうる。表面フィーチャの他の組み合わせも可能である。
【００７８】
図８Ａ〜図８Ｂの実施形態に示されたように、第１の側面１１０及び第２の側面１２０は、音響溶接、接着剤、スナップフィット、プレスフィットのような伝統的な製造方法、または現在公知されるか、以後に開発される様々な他の製造方法を介して結合されるハンドル１００の分離部として各々形成されることが好ましい。このような実施形態において、第１の側面１１０と第２の側面１２０との間に１つ以上の様々な他の対象物を維持するように構成された内部チャンバ１１５が形成される。第１実施形態において、好ましくは、チャンバ１１５は、髪を剃る間、ハンドル１００に強くて安全な感じを与えるためにデザインされた負荷１６０を保有できる。他の実施形態において、チャンバ１１５は、負荷１６０及び／又はゲル、クリーム、カミソリ組成物、カミソリ後組成物、潤滑剤、医薬品、活性剤などのようなカミソリアクセサリ、またはこれらの組み合わせを保有できる。他の実施形態において、ハンドルは、カミソリの一端部上のトリマー（図３８に図示される）に電力を提供したり、振動フィーチャを活性化したり、または相違した電力素子、あるいは現在開発されたり、以後に開発されたアクセサリに電力を提供するためのバッテリ、または一部類型の電力ソースを含むことができる。好ましい実施形態において、カミソリ５０は、動力の供給を受けず、チャンバ１１５は、負荷１６０を含み、正常な使用中にアクセス可能でなく、第１の側面１１０は、ハンドル製造中に第２の側面１２０に永久的に結合される。他の実施形態において、負荷１６０は選択的であり、チャンバ１１５は、空いているか、存在しないことがあるか、または、場合によってハンドル１００は、硬い（ｓｏｌｉｄ）ことができる。
【００７９】
ハンドル１００は、現在公知されるか、以後に開発される任意のサイズ、形状、構成、重量などでありうるし、維持及び使用の容易さのために、人体工学的デザインを有するように形成されることが好ましい。また、図４２Ａ〜図４２Ｅは、様々な相違した表面質感、把持フィーチャ（ｇｒｉｐｐｉｎｇ  ｆｅａｔｕｒｅ）、表面外観（ｓｕｒｆａｃｅ  ａｐｐｅａｒａｎｃｅ）などを含む特定形状及び寸法形状の一実施形態のハンドルを有する一実施形態のカミソリを示す。一実施形態において、ハンドルは、男性ユーザ基盤にさらにアピールするために、金属または光る外観を有することができる。また、図４３Ａ〜図４３Ｅは、様々な形態の表面質感、把持フィーチャ（ｇｒｉｐｐｉｎｇ  ｆｅａｔｕｒｅ）、表面外観（ｓｕｒｆａｃｅ  ａｐｐｅａｒａｎｃｅ）などを含む一定の形状及び寸法の一実施形態のハンドルを有するカミソリの一実施形態を示す。一実施形態において、ハンドルは、女性ユーザ基盤にさらにアピールするために、丸い（ｒｏｕｎｄ）形態でありうる。他の形状、構成、表面構成など、及びこれらの組み合わせが考慮される。また、ここに記述された任意のカートリッジ実施形態の任意の構成は、本明細書に記載された任意のハンドル及び／又はカートリッジ−ハンドル連結実施形態とともに使用されることができる。
【００８０】
ハンドル１００の結合端部１４０は、親指−結合表面（ｔｈｕｍｂ−ｅｎｇａｇｉｎｇ  ｓｕｒｆａｃｅ、２１２）及び結合端部１４０内のチャンバ１４４内部にボタン開口１４２を介して延長されるカムチップ２１６を有する複数のアーム２１４を有するボタン２１０（図８Ａ及び図８Ｂ）を含むコネクタ構造１４０（図１０）をさらに備える。チャンバ１４４は、ボタンアーム２１４により結合されるボタン解除スライダ２２０（図９Ａ〜図９Ｂ及び図１３）、下部表面２２４とキャッチチップ２２３とを有する複数の内部アーム２２２、カム端部表面２２６、及び内部アーム２２２と外部アーム２２５との間に形成されたブリッジ２２７を有する複数の外部アーム２２５をハウジングし、ボタン解除スライダ２２０は、ばね２３０を収容するためのばねシート２２１を備える。ばね２３０内には、ばね２３０内部に延長されるばね挿入部２４２を有するプッシュピン２４０が定着し、プッシュピン２４０は、レッジ２４４、ボディ２４６、及びガイドチップ２４８をさらに備える。
【００８１】
ばね２３０及びボタン解除スライダ２２０上に定着したプッシュピン２４０は、連結ブロック２５０の内部２５１内に収容される（図１２Ａ〜図１２Ｅ）。連結ブロック２５０は、チャンバ底１４６近くのランプ１４５と結合するカム表面２５４を有するレッジ２５３を有する第１のキャッチ２５２によりチャンバ１４４内に固定され、レッジ２５３は、チャンバ底１４６に隣接したランプ１４５の下のサブ−チャンバ１４内に配置される（図１０〜図１１Ａ）。連結ブロック２５０は、ボタンアーム２１４を収容する複数の開口２５６間に形成された第２のキャッチ２５５によりボタン開口周辺１４３に固定される。より特定的に、ボタンアーム２１４は、連結ブロック２５０の開口２５６を介して延長され、その後、ボタン解除スライダ２２０の内部アーム２２２とのカムチップ２１６の結合を介して圧縮され、その後、内部アーム２２２とカムチップ２１６の結合内部に放出される。ボタン解除スライダ２２０に比べてボタンアーム２１４がキャッチチップ２２３の下部面２２４の周辺にさらに保有される。
【００８２】
ユーザ（図示せず）がボタン開口１４２内でボタン２１０を上向き移動させると、ボタンアーム２１４は、キャッチチップ２２３の下部面２２４とボタンアーム２１４とを結合させることによってボタン解除スライダ２２０を上に押し上げる。連結ブロック２５０に対するボタン解除スライダ２２０の移動は、連結ブロック２５０の側面スロット２５７内でのブリッジ２２７（図１３）の移動に制限される。ボタン解除スライダ２２０の移動はさらに、連結ブロック２５０の後方スロット２５８内のばねシート延長部（ｓｐｒｉｎｇ  ｓｅａｔ  ｅｘｔｅｎｓｉｏｎ、２２８）（図１１Ａ）の移動は、結合端部１４０のチャンバ１４４のガイドスロット１４８（図１０）内に収容される後方スロットが後方スロット周辺２５９により部分的に囲まれるようにする。ハンドル１００の結合端部１４０に対して連結ブロック２５０は相対的に移動しない。
【００８３】
プッシュピン２４０のガイドチップ２４８は、連結ブロック２５０の内部２５１でプッシュピン２４０のプッシュピンレッジ２４４の移動に対する停止として動作する、好ましくは、上部表面２６３を有する上部延長部２６２に隣接した連結ブロック２５０の上部開口２６０を介して延長される。プッシュピン２４０は、ボタン２１０の移動に応答して移動しないが、その代りに、以下において説明されるように、カートリッジ３００の移動に応答して連結ブロック２５０に相対的に移動する。
【００８４】
一部の実施形態において、図１２Ｆ及び図１２Ｇに示されたように、対案的な連結ブロック９５０が提供される。このような実施形態において、組み立てられる場合に、連結ブロック９５０は、連結ブロック２５０の組立と同じ方式でチャンバ１４４内に固定される。連結ブロック２５０と同様に、連結ブロック９５０は、連結ブロック９５０内のボタンアーム２１４を収容する複数の開口９５４間に形成された第２のキャッチ９５２によりボタン開口周辺１４３に固定される。プッシュピン２４０のガイドチップ２５８は、傾斜した上部表面９６０を有する上部延長部９５８に隣接した連結ブロック９５０の上部開口９５６を介して延長される。図示されたように、上部開口９５６は、プッシュピン２４０を収容する側面壁９６２により囲まれている。
【００８５】
連結ブロック９５０は、連結ボディ５６０と結合されるようにデザインされる。したがって、側面壁９６２の内側表面９６４とともに、上部開口９５６は、プッシュピン２７０を収容することに対し、側面壁９６２の外側表面９６６は、連結ボディ５３０の中央開口５６４を収容する。このような構成は、側面壁９６２に対して連結ボディ５３０を安定化させることができる。連結ブロック９５０の側面壁９６２はノッチ９６８を含むことができ、ノッチ９６８は、上部延長部９５８の幅９７０よりさらに広いことができる。
【００８６】
プッシュピン２４０は、１つないし任意の数の側面、形状、及び長さを有することができる。プッシュピンは、カートリッジ３００上の結合領域に向けて外側に飛び出すように上部部分上に領域を有するようにデザインされることができる。プッシュのこのような延長された領域は、任意の形状、サイズ、または角度でありうる。このような追加延長領域は、カートリッジヘッド３００に圧力を加えてカートリッジヘッド３００を前方にプッシュすることを補助するであろう。追加延長領域は、ユーザがカミソリを使用することで、プッシュピンが多くの摩耗を有し、プッシュピン上部を介して用具（ｍａｔｅｒｉａｌ）を入れることができるので、追加機能に該当する。プッシュピン上端には、永久的であるか、または分離可能であり、プッシュピンの摩耗に耐えることができる追加部分がありうる。または、これは、プラスチックで作られることができるか、または、鉄のように摩耗されない材料で作られることができる。  
【００８７】
図１４Ａ〜図１４Ｇに示されたように、カートリッジ３００は、さらに第１の側面ハウジング３１２を有する第１の側面３１０、第１の上部パッド領域３２０、第１のかみそり領域３３０、及び第１の下部パッド領域３４０を一般的に備える。カートリッジ３００は、第２の側面ハウジング３５２を有する第２の側面３２０、第２の上部パッド領域３６０、第２のかみそり領域３７０、及び第２の下部パッド領域３８０をさらに備える。上部及び下部パッド領域の実施形態の特徴が説明されるが、カートリッジ３００上の任意の位置に位置され得るか、そういうフィーチャが選択的であり、構成または効果が変更されるか、所望のとおりに相互交換可能であるか、上部及び下部パッド領域が結合され得るし、ブレード周辺に連続パッド領域を形成するために、かみそりブレードを全体的に囲むことができる。第１及び第２の側面３１０、３５０の一部は好ましくは、ユーザ（図示せず）による取扱のための把持表面３９２が提供され得る複数の端部キャップ３９０により共に保有される。端部キャップ３９０の使用が好ましいが、端部キャップが第１及び第２の側面の構造で一体に製造されるか、または端部キャップが選択的であるか、またはカートリッジが金属バンドなどとともに保有されるか、または他の製造実施形態が可能な実施形態が考慮される。例えば、第１及び第２の側面ハウジング３１２、３５２の一部は、端部キャップにより連結される代わりに、共にスナッピング（ｓｎａｐｐｉｎｇ）、溶接、熱溶着、超音波溶着、プレスフィット（ｐｒｅｓｓ  ｆｉｔｔｉｎｇ）することによるか、または、現在知られた、または以後に開発される任意の方法のような様々な方法を介して取り付けられることができる。ユーザがカートリッジ３００の第１の側面３１０を用いて髪を剃ることができるように、第１及び第２の側面３１０、３５０は、各々ハンドル１００に対して独立的に位置されることができ、ユーザがカートリッジ３００の第２の側面３２０を用いて髪を剃ることができるようにハンドル１００に対してカートリッジ３００を再回転させることができ、その逆も成立する。
【００８８】
図１５の実施形態において、複数のブレード４００及びより詳細には、３個のブレード４１０〜４３０は、各々第１及び第２のかみそり領域３３０、３７０間で延長され、ブレード４１０〜４３０のうち、第１のブレードエッジ４１２〜４３２は、第１のかみそり領域３３０に露出することに対し、ブレード４１０〜４３０のうち、第２のブレードエッジ４１４〜４３４は、第２のかみそり領域３７０に露出する。３個のブレード４１０−４３０が本実施形態において説明されたが、第１のかみそり領域３３０に少なくとも１つのブレードエッジが露出し、第２のかみそり領域３７０に少なくとも１つのブレードエッジが露出する限り、任意の数のブレードが使用され得る。例えば、図１６Ａ〜図１６Ｂは、ハウジング３１２ａ、３５２ａ間に固定された５個のブレード４１０ａ−４５０ａを有するカートリッジ３００ａのブレード４００ａの他の実施形態を示す。任意の数のブレードが使用されることができる。特定の実施形態において、ブレードは、カートリッジ３００の全体を通過し、カートリッジ３００のいずれか一面を介して露出したブレードは、相違した端部の単一ブレードということを理解するであろう。
【００８９】
他の実施形態において、ブレードの数、または形状、あるいは外観は、カートリッジのいずれか一面に全的に依存することができ、それぞれの表面は、このような実施形態で相違したブレード、ブレード構成、ブレードの数、他のブレード構成を含む異なる外観及びブレード及び／又は外観の組み合わせを含むことができる。例えば、図３９Ａ及び図３９Ｂのカートリッジ３００ｆに示された実施形態において、一側面３１０ｆ（図３９Ｂ）は、５個のブレード４００ｆ１を有することに対し、他の側面３５０ｆ（図３９Ａ）は、３個のブレード４００ｆ２を有する。他の実施形態において、それぞれの側面３１０ｇ、３５０ｇ上に３個のブレード４００ｇを有する図４０Ａ及び図４０Ｂのカートリッジ３００ｇに示された実施形態において、一側面３１０ｇ（図３９Ｂ）は、女性用かみそり側面の外観を生成するために、丸い上部及び下部パッド領域３２０ｇ、３４０ｇを有することに対し、他の側面３５０ｇ（図３９Ａ）は、男性用かみそり側面の外観を生成するために、より線形である上部及び下部パッド領域３６０ｇ、３８０ｇを有する。したがって、カートリッジの各側面は、全体的に異なる外観を有することができる。図４０Ａ〜図４０Ｂのカートリッジ３００ｇの実施形態は、それぞれの面に異なる個数のブレード、またはブレード構成をさらに有することができる。他の例において、図４１Ａ〜図４１Ｃのカートリッジ３００ｈ−３００ｊに示された実施形態において、上部及び下部パッド領域は、類似したり、相違した構成を有することができる。例えば、上部パッド領域３２０ｈは、下部パッド領域３４０ｈと同じ幅でありうるか（図４１Ａ）、または上部パッド領域３２０ｉは、下部パッド領域３４０ｉより広いことができるか（図４１Ｂ）、または上部パッド領域３２０ｊは、下部パッド領域３４０ｊより狭いことができる（図４１Ｃ）。他のカートリッジ側面形状、構成、ブレード組み合わせ、または同一組み合わせが可能である。
【００９０】
例えば、図４７Ａ〜図４７Ｅに示されたような一部の実施形態において、女性のカミソリが図示されており、他の構成より大きいヘッド部分を特徴とする。より大きいヘッドカートリッジ３００は、両面カミソリを生成するカートリッジの２つの同じ側面を有するが、相違した側面であるか、相違した機能を有することができる。例えば、一側面は、現在または未来に開発されることを含む、保湿ストリップ、またはかみそりクリームローション、あるいは添加剤が含まれた事前かみそり側面（ｐｒｅ  ｓｈａｖｉｎｇ  ｓｉｄｅ）になることができ、他の側面は、髪を剃るために使用されることができる。代案として、一側面に１つのブレードを有することができ、他の側面には、異なる個数のブレードを有することができる。一部の実施形態において、１つの側面は、大きく、丸いカートリッジヘッドを有することができ、他の側面は、大きく、丸いカートリッジ３００ヘッドを有さないこともあり、その代りに、本願で既に説明されたような標準カートリッジヘッドを有することができる。このような実施形態において、一方は男性用であり、他方は女性用として使用することができ、旅行用として有用である。
【００９１】
女性用の大きく、丸いカートリッジヘッドは、任意の形状またはサイズでありうる。一部の実施形態において、本願に説明された正常カートリッジヘッドは、図面に示されたような外部の丸いカートリッジヘッド組立体９３０に連結されることができる。このような外側の丸いヘッド組立体９３０は、任意の形状または外形あるいは任意の数の表面を有することができ、１つないし任意の数の部品、任意の数のピース、及び任意の類型の材料を有することができる。説明されたカートリッジヘッドは、任意の数のゴムパッド、保湿保存部及び保湿ストリップ、または現在知られた若しくは任意の類型のカミソリカートリッジ部品を有することができる。外部周辺９３２は、任意の形状、任意の角度、またはサイズでありうるか、任意の厚さでありうる。組立体９３０は、任意の側面または部分がかみそりに使用される間、任意の側面または部分が内部、外部、または任意の方向に屈曲（ｆｌｅｘ）されることができ、ユーザ皮膚の輪郭に沿う場合に、カミソリの任意の部分は任意の方向に屈曲されることができる。
【００９２】
より大きいカートリッジヘッドは、屈曲ブレードを有することができ、カートリッジの両側面上のブレードの任意の部分が屈曲され、髪が剃られるかみそり角度によってブレードの両側面が任意の方向に屈曲されるか、曲げられるか、または曲げられるか、屈曲されることができる。
【００９３】
組立体９３０の両面は、カートリッジの一部でありうるか、別の部品またはピースでありうる。メインカートリッジボディから分離され、メインカートリッジボディに組み立てられる場合、カートリッジボディ及び組立体は、永久的または非永久的連結で実現されることができる。例えば、組立体９３０は、永久的スナップまたは連結あるいは現在知られたまたは未来に開発される方法によりメインカートリッジボディに取り付けられることができる。女性用の大きいヘッドは、大きいヘッド内に囲まれた端部キャップ９３４を有することができるか、またはカートリッジヘッドと分離されることができる。組立体９３０が連結されれば、カートリッジの一部をクラムシェル（ｃｌａｍｓｈｅｌｌ）で囲むことができるように連結されることができ、これは、端部キャップ９３４を囲んで取り付けられるとき、永久的な連結を形成し、組立体９３０から分離され得ないようにする。
【００９４】
組立体９３０は、雄型または雌型連結のような連結地点９３６を有することができ、メインカートリッジボディ上に相応する反対連結を有することができる。連結は、種々の方法、超音波溶接、または他の多くの方法からなることができ、組立体９３０は、現在知られたり、未来に開発される種々の方法で非永久的にまたは永久的に取り付けられることができる。カートリッジとより大きく、丸いヘッド組立体９３０との間の任意の部分または領域は連結を有することができ、組立体９３０がメインカートリッジボディを共に囲んで保有するように構成されることができる。
【００９５】
図４７Ａに示されたように、より大きく、丸いヘッドカートリッジボディの下端領域は、ゴムパッドまたは保湿ストリップを有することができ、大きく、丸いセクションを有することができず、全ての他の側面より少ない単に小さい部分である。ほとんどの女性用の丸いカミソリは、一般的に丸くて、保湿ストリップとパッドがあるブレードの下端部分を越えて拡張される下端領域を有している。
【００９６】
図示されたより大きく、丸いヘッドは、欠けられた下端−丸い部分を有し、したがって、下端は丸い部分と平行していない。このような構成は、スイベルアーム（ｓｗｉｖｅｌ  ａｒｍ）が連結され、適宜機能できるようにして、ユーザが側面を切り換えてカミソリをカートリッジの第２のかみそり側面または他の側面にひっくり返すことができる。
【００９７】
図示されたより大きく、丸いヘッドは、丸い形態または任意の形状あるいはサイズでありうる平たい上部９３８の外部周辺９３８を有し、カートリッジの両端部に向けて延長され、その後、丸い形態でスイベルアームに向けて下向き延長されて停止されるので、カートリッジの最下端の最外郭部分周辺とスイベルアームとの間にギャップがあるようになり、カートリッジメインボディに向けて上側に向けて角度を有する。角度またはギャップ９４０は、スイベルアーム５１０の形状に依存する。このようなギャップ９４０は、カートリッジが問題なく前後に容易にスイベルできるようにし、ユーザが側面をカートリッジの第２のかみそり側面に切り換えることができるようにするので、組立体に必須である。このようなギャップ９４０は、さらにスイベルアームがカートリッジに連結され、前後に自由にスイベルできるようにする。
【００９８】
図面は、より大きく、丸いヘッド及びカートリッジホルダーに対して２つのピースを図示するが、１つないし任意の数のピースが存在し得る。図面は、さらに、組み立てられたカートリッジメインボディが組立体９３０の内部の部分または溝（ｇｒｏｏｖｅ）あるいは空洞（ｃａｖｉｔｙ）に位置することができ、女性用の大きいヘッドの残りの半分が露出したカートリッジとカートリッジ端部を介して配置されることを見せる。２つの大きく、丸いヘッドとホルダーピースとは、その後、スナッピングされるか、超音波溶接されるか、または現在知られたあるいは未来に開発される一部の他の方法で連結される。図面は、組立体９３０がカートリッジに取り付けられる１つの方法を示すが、組立体９３０が実際カートリッジ構造の一部でありうるし、永久的にまたは非永久的に取り付けられるか、共に成形され得ることが分かる。
【００９９】
図４７Ｄに示されたように、組立体９３０の内部部分は、組み立てられる場合に、カートリッジ３００に固定するために空洞９３６を提供する。組立体の側面は、端部キャップ９００でさらに動作し、第１の傾斜表面９４２及び第２の傾斜表面９４４をさらに備える。組立体９３０の様々な構成要素は、図４６と関連して後述することと同様に機能する。このように、第１の傾斜表面９４２及び第２の傾斜表面９４４は、スイベルアーム５１０の噛み合い部５１６と接触する。
【０１００】
一部の実施形態において、カートリッジヘッドは、相違した構成で提供されることができる。例えば、カートリッジヘッドは、三角形状でありうる。そういう実施形態において、カミソリカートリッジの上部は三角形カートリッジの上部である。三角形のそれぞれの面には、前述したように、ブレード、ゴムパッド、及び保湿ストリップを有するかみそり側面がある。三角形の下端は、ハンドルが三角形カートリッジに連結されるところである。ハンドル及び三角形カートリッジの連結は、このようなアプリケーションで言及されたり、現在または未来に開発された全ての連結でありうる。このような三角形カートリッジによってハンドルは任意のハンドル形状またはデザインとなり得る。このようなハンドルは、ハンドルのそれぞれの面が同じデザインであり、第１のかみそり側面または第２のかみそり側面を剃る場合に、手に安らかにフィットされ得るようにデザインされることができる。このようなデザインを利用して、ハンドルをカートリッジに連結し、両面カミソリの一側面だけを剃るとよく、第１の側面が鈍くなると（ｄｕｌｌ）、単純に全体ハンドルとカートリッジとを完全に回転させて回し、三角形カートリッジの第２のかみそり側面を使用してかみそりを始めるとよい。ユーザは、第１のかみそり側面から第２のかみそり側面に切り換える場合に、カートリッジを分離する必要がない。三角形かみそり側面の角度は、髪を剃るための完壁な角度でありうる。三角形側面は、互いに向かって内側に（三角形の中間側に）屈曲されることができ、ユーザがより気楽なかみそりをすることができる。屈曲を防止したり、所望の角度内で屈曲を制限する停止部がありうる。三角形の上部は、フレックスヒンジを有することができるので、両面三角形カミソリのかみそり側面が互いに向かって内側に屈曲されることができる。
【０１０１】
一実施形態においてカートリッジの製造及びブレードの効率的な組立を容易にするために、第１及び第２のかみそり領域３３０、３７０間に単一ブレードが延長されることが選好されることに対し、そういう配置がより複雑な製造と連関されても、個別ブレードは各かみそり領域を満たす。また、特定の実施形態において、図３９Ａ〜図３９Ｂに示されたように、各かみそり領域は、異なる個数のかみそりブレードにより占有されて、１つのかみそり領域が他のかみそり領域よりさらに多く露出したブレードを有し、その逆も成立する。
【０１０２】
ブレード４００は、現在公知されるか、以後に開発される様々な製造方法を使用してカートリッジ３００内に積層された、離間した関係で固定されることができる。図１５に示された好ましい実施形態において、ブレード端部４１５〜４３５は、各々第１の側面及び第２の側面ハウジング３１２、３５２に形成されたスロット３１５、３５５間でキャプチャされる。図１７に示された他の実施形態において、ブレード４００ｂは、ポジショニングスパイン４６０ｂに沿って整列され、スパイン４６０ｂに固定され、ブレード４００ｂ間に延長されるスペーサ要素４６５ｂを使用して離間される。このような対案的な実施形態において、カートリッジ３００ｂ内でブレード４００ｂをさらに支持するために、ブレード端部４１５ｂをキャプチャするスロット３１５ｂ、３５５ｂがさらにハウジング３１２ｂ、３２２ｂに提供されることができる。特定の実施形態において、ポジショニングスパインは、スペーサ要素と組み合わせて使用されるか、または使用されないこともあり、または、スペーサ要素は選択的でありうる。また、スペーサ要素は、個別ブレード構成を変更させるために、高さまたは厚さが変わることができる。
【０１０３】
ブレード４００は、様々な製造方法を利用して形成されることができ、現在公知されるか、以後に開発される任意の形状、デザイン、材料、組成、または構成でありうる。図１５に示すように、議論の基底としてブレード４１０を使用し、一実施形態において、ブレードがカートリッジ３００内に位置する場合に、ブレード４１０は、各々がブレード中心軸４１３に対して角をなす下向き構成で配向されたブレードエッジ４１２、４１４を有する単一ピースの金属または他の材料であり、ここで、金属または他の材料の単一ピースは、公知されたまたは以後に開発される製造方法を利用する形状でスタンピングされるか、異なるように成形されることができる。ブレードエッジ４１２、４１４の角度配向はユーザに密着され、安らかで、かつ効果的なかみそりを提供するように構成される。図１８Ａ〜図１８Ｂに示された他の実施形態において、ブレード４１０ｃは、複数の要素で形成されることができ、ここで、エッジピース４１２ｃ、４１４ｃは、溶接部４１６ｃで支持体キャリア４１１ｃ上に固定され、複数のブレード４１０ｃの各々は、キャリア４１１ｃ及びエッジピース４１２ｃ、４１４ｃを含み、離間した関係で積層される。支持キャリア４１１ｃ及び／又はエッジピース４１２ｃ、４１４ｃは、任意の形状、デザイン、材料、組成、または構成でありうる。図１８Ｃは、３個の積層されたブレード４１０ｃを有するカートリッジ３００ｃ１を示し、図１８Ｄは、５個の積層ブレード４１０ｃを有するカートリッジ３００ｃ２を示す。任意の数のブレードがカートリッジ内に組み立てられることができる。支持キャリア４１１ｃは、ブレード４１０ｃ全体に構造的安全性を付与し、エッジピース４１２ｃ、４１４ｃは、使用中に曲げるか、屈曲されるか、またはそれとも、動かないように維持する。
【０１０４】
図１９Ａに示されたさらに他の実施形態において、カミソリカートリッジ３００ｄは、ブレード４００ｄの中心軸４１３ｄに対して対向−配向されたブレードエッジ４１２ｄ、４１４ｄを有するブレード４００ｄを含む。図１９Ｂに示されたさらに他の実施形態において、図１９Ｂで、カミソリカートリッジ３００ｅは、中心軸４１３ｅに対して対向−配向されたブレードエッジ４１２ｅ、４１４ｅを有する対角ブレード４００ｅを含む。図１９Ａ〜図１９Ｂの実施形態において、カートリッジ３００ｄ、３００ｅは、典型的にカートリッジ３００ｄ、３００ｅのいずれか一側面を使用してかみそりを容易にするためにブレードの中心軸４１３ｄ、４１３ｅに沿ってひっくり返されることができる。
【０１０５】
説明された任意の構成において、ブレードは、かみそりに適した接近角度で実現されることができる。そういう角は、６０度でありうるか、選好によって任意の角度でありうる。例えば、一部構成では、ユーザがブレードを調整できる。他の角度方向、寸法、及び構成が可能である。また、ブレードは、カートリッジ内の任意の形状、デザイン、厚さ、寸法、重量、構造、構成、角度位置、またはこれらの組み合わせでありうる。
【０１０６】
一部の実施形態において、ブレード自体は、屈曲ブレード（ｆｌｅｘ  ｂｌａｄｅ）であり、カートリッジの両側面上のブレードの任意の部分は、剃られるかみそり角度によって任意の方向に屈曲されるか、または曲げられることができる。それぞれのブレードは、カミソリカートリッジが輪郭または、均一でない表面を通過する場合に、あるいは独立的にまたは同時に屈曲されることができる。一部の実施形態において、カートリッジボディまたはブレードの一部は、髪を剃る間、屈曲されるか、曲げられることができる。両面カミソリのそれぞれの面はボディを有することができるか、かみそりの刃が任意の方向に屈曲されるか、それぞれの面がブレードまたはボディに他の屈曲地点を有することができる。一部の実施形態において、一側面は、屈曲または移動ブレードを有することができ、他の側面は、全く有することができない。
【０１０７】
さらに、カートリッジ３００（図１４Ａ〜図１５）に戻ると、上部パッド領域３２０、３６０には、好ましくは、潤滑ストリップ、保湿ストリップ、水和ゲル、クリーム、ビタミン、水活性化製品、保湿剤などのようなかみそり改善剤または促進剤を有する伝達システム３２２、３６２が提供される。ストリップの性質を有する伝達システム３２２、３６２が説明されたが、現在公知されるか、以後に開発されるストリップ以外の伝達システムが利用され得ることを理解するであろう。また、上部パッド領域３２０、３６０は、このような領域３２０、３６０がユーザの皮膚とブレード４００の結合にしたがう場合に最もありふれた位置にあるにもかかわらず、望むなら、伝達システム３２２、３６２は、上部パッド領域３２０、３６０の内部でない、他のところに配置されることができるので、このような伝達システム３２２、３６２は、皮膚周辺をスクラップして発生する敏感度及び刺激に対処するために、皮膚に治癒または鎮静効果を提供する傾向がある。伝達システム３２２、３６２は、端部キャップ３９０間で、またはかみそり側面上の任意の位置で延長されるストリップの形態でありうるし、あるいは相違した形状、もしくは様々な形状を有することができるか、またはテクスチャを使用するか、それとも皮膚に肯定的な表面フィーチャを有することができる。また、伝達システム３２２、３６２は、製造工程中にハウジング３１２、３５２（図１５）の内部に形成されることができるか、または接着剤、プレスフィット、成形、または他の方式でハウジング３１２、３５２に適用されることができる。また、伝達システム３２２、３６２は、ハウジング３１２、３５２に統合されるか、必要に応じて除去可能であり、交替可能でありうる。
【０１０８】
一部の実施形態において、カミソリが使用されるとき、露出し得る水、石鹸、かみそりクリーム、またはゲル、あるいは任意の物質から保湿ストリップを保護できるように、コーティングが保湿ストリップに塗布され得る。そういう方法として、ストリップから保湿剤を分配するか、放出する唯一の方法は、ストリップが実際に使用され、保湿ストリップの表面が皮膚のような他の表面に擦られる場合である。これは、使用されるまで両面かみそりブレードの第２のかみそり側面の保湿ストリップを保護する。
【０１０９】
下部パッド領域３４０、３８０には、好ましくは、第１及び第２のかみそり領域３３０、３７０による結合前にかみそり表面を用意するように構成された把持パッド３４２、３８２が提供される。一実施形態において、把持パッド３４２、３８２は、より密着されたかみそりを提供するために、皮膚をストレッチする離間したピン（ｆｉｎ）で形成される。滑らかな表面を有する把持パッドを含んで、現在公知されるか、以後に開発される相違した形状、構成、テクスチャ、及び構成を有するパッドの他の構成も可能である。代案的に、下部パッド領域３４０、３８０は、把持関係以外の方式で皮膚と結合するように構成されるか、ハンドル１００のようなカミソリ５０の他の側面と結合するように構成された所定のフィーチャとともに提供されることができる。
【０１１０】
好ましい実施形態において、それぞれの下部パッド領域３４０、３８０には、後述するように、プッシュピン２４０のガイドチップ２４８と結合するための第１及び第２の軌跡３４４、３８４が各々提供される。インタラプト３９４は、各軌跡３４４、３８４の終端に形成され、カートリッジ３００の第１の側面３１０と第２の側面３５０との間の変曲点（ｐｏｉｎｔ  ｏｆ  ｉｎｆｌｅｃｔｉｏｎ）を規定する。ここで説明するように、カミソリ５０の正常な使用の間にインタラプト３９４は、第１及び第２のかみそり側面３１０、３５０間でカートリッジ３００の不注意な切り換えを防止する。軌跡３４４、３８４及びインタラプト３９４は、下部パッド領域３４０、３８０と一体に形成されることができる。代案的に、図１５に示された一実施形態において、第１のアーム３９６、第２のアーム３９６、及びこれらの間に形成されたインタラプト３９８を有する分離された軌跡部材３９５がカートリッジ３００に取り付けられて、第１のアーム３９６は軌跡３４４を形成し、第２のアーム３９６は軌跡３８４を形成し、軌跡３４４、３８４の延長はインタラプト３９４を形成する。下記においてより詳細に説明するように、ユーザが第２の側面３５０を用いて髪を剃る間に、プッシュピン２４０のガイドチップ２４８は第１の軌跡３４４に沿って移動し、ユーザが第１の側面３１０を用いて髪を剃る間に、プッシュピン２４０のガイドチップ２４８は第２の軌跡３８４に沿って移動し、インタラプト３９４は、カミソリ５０の正常な使用中に、ガイドピン２４８が第１の軌跡３４４から第２の軌跡３８４へ交差することを防止し、その逆も成立する。
【０１１１】
インタラプト３９４は、典型的に軌跡３４４、３８４の延長であるが、任意のサイズまたは形状でありうるし、任意の材料で作られることができることを理解するであろう。一部の実施形態において、インタラプト３９４の形状は、スイベルアーム５１０に対するカートリッジ３００の開始角度を指示するように構成されることができる。
【０１１２】
下部パッド領域３４０、３８０の端部には、ハンドル１００を介してコネクタ構造２００とカートリッジ３００間でインターフェースされるスイベルアーム連結５００（図２０〜図２０Ｇ及び図２１Ａ〜図２１Ｃ）との結合のためのスイベルアーム結合カム表面３４８及びカートリッジ３００の特定エッジ領域に沿ってスイベルアーム結合開口３４６（図１４ｄ及び図１４Ｆ）が提供される。スイベルアーム開口３４６がカートリッジ３００の特定エッジ位置で図示されることに対し、開口３４６は、カートリッジ３００のいずれのところにも位置することができ、同様に、スイベルアーム５１０が、これらが配置されるどこでも開口と結合されるように構成されることができることを理解するであろう。図示されたような一実施形態において、開口３４６は、第１及び第２のかみそり領域３１０、３７０と独立的に、そして、端部キャップ３９０と独立的にカートリッジ３００のエッジに沿って配置される。他の実施形態において、開口３４６は、端部キャップまたは他の位置に位置することができる。スイベルアーム連結５００は、複数のスイベルアーム５１０を含み、これらの間に形成された連結ボディ５３０をさらに備える。スイベルアーム５１０は、カートリッジ３００をスイベルアーム連結５００と強制結合させるとき、カートリッジ３００上のカム表面３４８に衝突するカム表面５１４を有する結合ピン５１２をさらに備え、これは、結合ピン５１２がスイベルアーム結合開口３４６に進入することを可能なようにするために、スイベルアーム５１０が外部に屈曲されるように導き（図２１Ｂ）、このとき、スイベルアーム５１０は、さらに屈曲されるようになり（図２１Ｃ）、スイベルアーム結合開口３４６内に結合ピン５１２が固定されるように維持する。それに対し、開口が下部パッド領域及び移動軌跡に隣接したことと図示される間、開口は、カートリッジ上の他の位置にあることができることを理解するであろう。また、結合ピン５１４は、１回に１つずつスイベルアーム結合開口３４６に挿入されることができ、カム表面５１４、３４８の補助を介して開口３４６と結合及び／又は分離されることができる。例えば、１つのピン５１４がカム表面３４８、５１４の補助無しで１つの開口３４６内に挿入されることができ、他のピンは、カム表面を使用してスイベルアームを外部にストレッチすることにより、他の開口に挿入されることができるか、または、手動でスイベルアームを外部にストレッチした後、カム表面を補助するか、あるいは補助せずにピンを開口内部に下降（ｄｒｏｐ）させることができる。一実施形態において、スイベルアーム連結５００は、ハンドル１００に永久的に取り付けられ、ユーザは、スイベルアームからカートリッジ３００を分離し、軸周囲にカートリッジをひっくり返してスイベルアームにカートリッジを再取付させることによってカートリッジ側面の間を切り換えらなければならず、これは、ユーザがカートリッジの一面を用いて髪を剃ることを完了し、カートリッジの他面を用いて髪を剃ることを望む場合に発生するであろう。本明細書に説明された他の実施形態において、一応、カートリッジ３００が組立体６００を形成するようにスイベルアーム連結５００に組み立てられれば、製造時点でまたはユーザにより発生されるとしても、カートリッジ３００が正常な使用中にスイベルアーム連結５００から除去されないように構成される。特定の実施形態において、カートリッジ３００とスイベルアーム連結５００との間の連結は、正常な使用中に除去可能なように構成されることに対し、他の実施形態では、正常な使用中により永久的または半永久的に構成される。
【０１１３】
本願に図示され、説明された実施形態がスイベルアーム５１０に依存するが、カートリッジ３００の傾きを制御し、制限する中央連結部と結合されたプッシュピン組立体に依存する他の実施形態が考慮され得ることを理解するであろう。
【０１１４】
コネクタ構造２００を介してなされることができるハンドル１００とカートリッジ３００との間の連結は、リセスされることができるか、またはカートリッジのかみそり側面とともにリセスされることもできる。前記連結は、カートリッジ３００の最下部中間領域にあることができるか、またはこれは、結合開口３４６に対して図示されたようなカートリッジの最下部領域のエッジ周辺、または任意の他の位置にありうる。前記連結は、保湿ストリップのような、カートリッジ３００の他のフィーチャにより囲まれることができ、前記連結は、図示され、説明されたようなスイベル連結を招くことができるか、またはこれは、固定連結を介してなされることができる。
【０１１５】
好ましい実施形態において、カートリッジ３００とスイベルアーム連結５００とは共に結合されて、カートリッジ３００をハンドル１００と結合させる前に組立体６００を形成する。カートリッジ３００及びスイベルアーム連結５００の組立は、製造時点のように、ユーザに配布される以前に発生する。一実施形態において、カートリッジ３００及びスイベルアーム連結５００は、各々同じ製造設備で製造された後、共に結合される。さらに他の実施形態において、カートリッジ３００及びスイベルアーム連結５００は、各々相違した設備で製造された後、設備のうちの１つで共に結合される。さらに他の実施形態において、カートリッジ３００及びスイベルアーム連結５００は、各々異なる設備で製造された後、完全に異なる設備で共に結合される。また、複数の組立体６００は、ユーザに分配するために、マルチ−パック（図示せず）として共に販売されることができるか、またはユーザが組立体６００を形成するようにスイベルアーム連結５００にカートリッジ３００を共に連結することができ、その後、組立体６００をハンドル１００に固定させることができる。
【０１１６】
スイベルアーム５１０、５２０は、スイベルアーム連結５００のスイベルアーム５１０を把持するための様々なオプションをユーザ（図示せず）に提供する把持部５１８をさらに提供する。把持部５１８は、ハンドル１００の下部に、またはこれに向けてスイベルアーム５１０をプッシュするための任意の形状を有する上部スロープ５１７、及びハンドル１００の上部に、またはこれから離間されるようにスイベルアーム５１０をプッシュするための任意の形状を有する下部スロープを有し、スイベルアームの上部及び下部スロープは、それぞれのスロープが把持及び結合されるのに容易かつ便利なようにユーザの指に安らかにフィットされるように形成され、構成される。例えば、後述するように、組立体６００をハンドル１００に取り付けることが好ましいであれば、ユーザは、把持アーム５１０を介して把持部５１８の上部傾斜表面５１７を主に結合させ、同時に、ハンドル１００に対して組立体６００のプッシングモーションに参加し、プッシングレバレッジを形成するために、カートリッジ３００の端部キャップ３９０を介して把持表面３９２を結合するために組立体６００を把持しようとすることができる（図２２Ａ〜図２２Ｂ）。組立体６００をハンドル１００に対して上向きに引くことにより、コネクタ構造２００から組立体６００を分離することが好ましい場合は、ボタン２１０が上向きにプレスされる間、組立体６００（図２３Ａ〜図２３Ｂ）上に引張力を提供するためにユーザは、その代りにスイベルアーム５１０の把持部５１８の下部スロープ及び可能であれば、端部キャップ３９０を把持しようとすることができる。図２３Ｃに示された他の実施形態において、ボタンの移動によりハンドルからカートリッジ及びスイベルアーム連結組立体の解除に切り換えられれば、ボタンは、側方向（図２３Ｃ）または、下側（図示せず）のような上向き以外の方向へ移動されることができる。カートリッジ及びスイベルアームは、消費者が連結及び分離できる任意の方法として固定されることができる。
【０１１７】
図２３Ｄに示されたさらに他の実施形態において、いかなるボタンも必要でなく、組立体６００は、磁気コネクタ５６０により対応するコネクタ構造に結合される。このような磁気コネクタ５６０は、他の実施形態と関連して議論されたコネクタ５４０と同様に、フード上に（図１１Ｂ〜図１１Ｃなど参照）、またはスイベルアーム、ハンドル連結、あるいはカートリッジの任意位置にありうる。したがって、組立体を分離するために、ユーザは、スイベルアーム５１０の把持部５１８の下部スロープを把持し、磁気コネクタ５６０での磁気力を克服するのに十分な引張力を組立体６００に印加することができる。このような磁気連結は、迅速な切り換えを許し、例えば、かみそり中であるときのように、高精密度が不可能な場合、ユーザが構成を切り換えることができるようにする。磁性材料は、ハンドルに一体型に提供されて、スイベルアーム連結５００上の磁気コネクタ５６０とともに結合されるか、または任意の位置と結合することができる。代案的に、磁気連結は、ハンドルを介して存在し得るし、スイベルアームコネクタは、磁性材料で形成されることができ、その逆も成立するか、または同じ組み合わせで形成されることができる。また、磁気要素がカミソリの他の位置にありうる。また、このような連結は、他の実施形態と関連して前述した様々な複雑な部分を必要としない。したがって、このような連結は、磁気連結により強化された簡単なスライディング連結でありうるし、様々な形態で提供されることができる。
【０１１８】
他の対案的な実施形態（図２３Ｅ〜図２３Ｆ）において、ボタン２１０は、カートリッジ３００をスイベルアーム連結５００から分離させることができ、スイベルアーム連結５００は、ハンドル１００に永久的に固定されるか、除去されることができる。次いで、スイベルアーム５１０を水平方向外側に併進移動させるためにボタンを上に動き、その間に保有されたカートリッジ３００を解除できる。その後、ユーザは、カートリッジをひっくり返したり回すことができ、カートリッジの他のかみそり側面を使用できる。ボタンまたはスイベルアーム５１０は、ばねがローディングされてボタンが解除されるとき、スイベルアーム５１０は、元の位置に内部に切り換えられることができる。代案的に、ユーザ（図示せず）は、第１の方向にボタンを移動させてスイベルアーム５１０を外側に、第２の方向に移動させてスイベルアーム５１０を内側に移動させることができる。代案的に、ユーザは、ボタンを使用せずに、スイベルアーム５１０からカートリッジ３００を解除できるが、その代りに、スイベルアーム５１０をカートリッジ３００から引っ張ってスイベルアーム５１０から分離させることにより、カートリッジ３００を手動で解除することができる。
【０１１９】
当接部５１６は、さらに後述するように、カートリッジ３００の後方回転の間、端部キャップ３９０の移動に対する停止部として動作することにより、スイベルアーム連結５００に対するカートリッジ３００の過剰回転を防止する（図２８Ｄに図示）。
【０１２０】
スイベルアーム連結５００（図２０Ａ〜図２０Ｇ）に戻ると、連結ボディ５３０は、中心開口５３４を有する上部表面５３２、中央開口５３４とそれぞれの側面開口５３６との間に形成された壁５３８を有する中央開口５３４のいずれか一側面上の側面開口５３６、結合端部１４０と連結ブロック２５０の上部内部壁１４１間に形成されたギャップ１４９（図１１Ａ）とフィットされるフード５４０、及び連結ブロック２５０を介してばねアームレッジ２７０と結合する複数のばねアーム５５０をさらに備え、それぞれのばねアームレッジ２７０は、結合カム表面２７２と分離カム表面２７４とを有する。図１１Ｂ〜図１１Ｃに示された対案的な実施形態において、図１１Ａの実施形態において図示されたようなことよりは却って、雄型ハンドル部１４０ａを収容する雄型連結５４０ａで多少動作するために、フード５４０ａは、ハンドルの結合端部１４０ａ上に取り付けられることができ、フード５４０は、結合端部１４０内に収容される。図２４に示されたように、スイベルアーム連結５００がコネクタ構造体２００上に下方に加圧される場合に、プッシュピン２４０及び上部延長部２６２は、中央開口５３４を介して延長され、ばねアーム５５０は、結合カム表面２７２と結合して外部に屈曲され、ばねアーム５５０が分離カム表面２７４に対して定着するまでばねアームレッジ２７０周辺を移動し、ばねアームレッジ２７０は、ばねアーム５５０と壁５３８との間でキャプチャされる。ばねアーム５５０が分離カム表面２７４に対して定着する場合に、ばねアームレッジ２７０周囲のばねアーム５５０の移動は、「クリック」サウンドまたは触覚感覚を発生できるか、または注目すべきサウンド及び／又は触覚感覚がないことがある。スイベルアーム連結５００をコネクタ構造２００から分離しようとする場合に、ユーザは、単純にボタン２１０とボタンアーム２１４とを上に押し出し、これは、ボタンリリーススライダ２２０の外部アーム２２５を介してカム端部表面２２６がばねアーム５５０に対して分離されるようにし、ばねアームレッジ２７０から分離され、スイベルアーム連結５００がコネクタ構造２００に対して持ち上げられるようにする。
【０１２１】
一部の実施形態において、中央開口５３４は、一側面上で開放されて、上部表面５３２を構造物の一側面にのみ存在させる（図２０Ｈ〜図２０Ｉ）。このような実施形態において、連結ボディ５３０は、付加的な柔軟性を維持し、一応、クリックされると、位置は、上部表面５３２の構造的な支持無しで、ばねアーム５５０と壁５３８との間のばねアームレッジ２７０の定着によってのみ維持される。したがって、ばねアームレッジ２７０が連結ボディ５３０から解除されるように連結ボディ５３０を外部に屈曲させてスイベルアーム連結５００が反転され得る。
【０１２２】
ハンドル１００に対するカートリッジ３００の配向は、カートリッジの一側面を使用して髪を剃るための第１の配向６１０（図２６Ａ〜図２６Ｂ）及びカートリッジの他の側面を使用して髪を剃るための第２の配向６２０（図２７Ａ〜図２７Ｂ）との間で切り換え可能であり、反転されることができる。一側面が鈍くなるとき、カートリッジの方向を反転させる能力は、ユーザがカートリッジ３００の寿命を延長させ、単一カートリッジ３００から２倍の寿命を効果的に得るようにする。一実施形態において、第１の方向６１０で、カートリッジ３００の第１の側面３１０と第１のかみそり領域３３０とは、第１のかみそり領域３３０を用いて髪を剃るために、ハンドル１００を介してボタン２１０と向かい合う。一実施形態において、第２の方向６２０で、カートリッジ３００の第２の側面３５０と第２のかみそり領域３７０とは、第２のかみそり領域３７０を用いて髪を剃るために、ハンドル１００を介してボタン２１０と向かい合う。ハンドル１００に対するカートリッジ３００の特定方向に第１及び第２の方向６１０、６２０が形成されることに対し、方向が反転され得るか、または相違した方向が動作可能でありうることを理解するであろう。
【０１２３】
カートリッジ３００の組立体６００とスイベルアーム連結５００とがハンドル１００から分離された状態で維持される間、カートリッジ３００は、スイベルアーム連結に対して自由にスイングされ得るか、またはスイベルアームは、スイベルアーム結合ピン５１２とスイベルアーム結合開口３４６、３８６との結合を可能なようにする。カートリッジ及び／又はスイベルアームは、任意の角度回転及び１つの側面から他の側面まである程度の角度で互いに対してスイングすることができる。カートリッジは、１つの側面から他の側面に自由にスイングすることができる。組立体６００がハンドル１００に連結されるとき、カートリッジ３００のハンドル１００に対する方向が決定され、これにより、プッシュピン２４０のガイドチップ２４８は、連結ボディ５３０の中心開口５３４を介して延長され、スイベルアーム連結５００に対するカートリッジ３００の方向によって第１の軌跡３４４または第２の軌跡３８４と結合される。
【０１２４】
組立体６００がカートリッジ３００の第１の側面３１０と第１の方向６１０（図２６Ａ〜図２６Ｂ）にあり、第１のかみそり領域３３０がハンドル１００上のボタン２１０と向かい合うと、カートリッジ３００が第１のかみそり領域３３０に沿ってユーザのかみそりに応答してピボットすることで、プッシュピン２４０のガイドチップ２４８が結合され、下部パッド領域３８０上の第２の軌跡３８４に沿って移動する。ユーザが第１のかみそり領域３３０を用いて髪を剃ることにより、カートリッジ３００は、完全に直角方向６１２（図２８Ａ〜図２８Ｂ）でスイベルアーム結合ピンに沿ってピボットし、ここで、プッシュピン２４０のガイドチップ２４８は、完全に回転された方向６１４（図２８Ｃ〜図２８Ｄ）で、連結ブロック２５０を介して上部延長部２６２の上部表面２６３と噛み合うために、ボタン２１０及びインタラプト３９４からカートリッジ３００がピボットして離間されるようにし、ここで、プッシュピン２４０のガイドチップ２４８は若干加圧解除され、スイベルアーム連結５００に対してカートリッジ３００の過剰回転を防止するために、端部キャップ３９０は、スイベルアーム５１０に対する噛み合い部分５１６を衝撃する。噛み合い部５１６を十分に衝撃するほど、カートリッジ３００が再度ピボットされる場合、噛み合い部５１６は、カートリッジ３００の前方回転に対する停止部として動作し、これは、正常なかみそりの間に発生することができるか、または発生しないことがある。
【０１２５】
同様に、組立体６００がカートリッジ３００の第２の側面３５０と第２の方向６２０（図２７Ａ〜図２７Ｂ）にあり、第２のかみそり領域３７０がハンドル１００上のボタン２１０と向かい合うと、カートリッジ３００が第２のかみそり領域３７０に沿ってユーザのかみそりに応答してピボットすることで、プッシュピン２４０のガイドチップ２４８は結合され、下部パッド領域３８０上の第１の軌跡３４４に沿って移動する。ユーザが第２のかみそり領域３７０を用いて髪を剃ることにより、カートリッジ３００は、完全に直角方向６２２（図２９Ａ〜図２９Ｂ）でスイベルアーム結合ピンに沿ってピボットし、ここで、プッシュピン２４０のガイドチップ２４８は、完全に回転された方向６２４（図２９Ｃ〜図２９Ｄ）で、連結ブロック２５０を介して上部延長部２６２の上部表面２６３と噛み合うために、ボタン２１０及びインタラプト３９４からカートリッジ３００がピボットして離間されるようにし、ここで、プッシュピン２４０のガイドチップ２４８は若干加圧解除され、スイベルアーム連結５００に対してカートリッジ３００の過剰回転を防止するために、端部キャップ３９０は、スイベルアーム５１０に対する噛み合い部分５１６を衝撃する。噛み合い部５１６を十分に衝撃するほど、カートリッジ３００が再度ピボットされる場合、噛み合い部５１６は、カートリッジ３００の後方回転に対する停止部として動作し、これは、正常なかみそりの間に発生することができるか、または発生しないことがある。
【０１２６】
したがって、スイベルアーム５１０は、カートリッジ３００の端部キャップ３９０を支持するための噛み合い部５１６を含むことができる。したがって、ユーザは、かみそり中に一定の圧力を加えることができ、カートリッジ３００がユーザの顔に適用されるであろう。したがって、カートリッジ３００は、カートリッジがカートリッジ３００に衝撃を加える程度に十分にピボットされた場合、端部キャップ３９０が噛み合い部５１６と接触するまでカートリッジヘッドが回転するので、カートリッジヘッドの移動範囲に影響を与えないながら、任意のサイズまたは形状でありうる。噛み合い部５１６は、端部キャップ３９０と接触するための任意の数の突出領域で構成されることができ、任意のサイズ、形状、寸法、及び位置でありうる。通常、総４個のスイベルアーム５１０上に２つの噛み合い部５１６がありうる。これにより、噛み合い部５１６は、前方及び後方方向に独立的に位置することができる。噛み合い部５１６は、さらにそれぞれのスイベルアーム５１０上の単一部分でありうるが、中間部分が除去されて上昇された噛み合い部５１６を構成する２つの壁からなる部分が生成される。噛み合い部は、任意のサイズまたは形状でありうるか、好ましくは、カートリッジ３００を均一に支持するために対称であることが好ましい。前記噛み合い部５１６は、好ましくは、１８０度の移動を許すように位置することができるか、任意の他の角度の回転を許すことができる。
【０１２７】
図４６Ａ〜図４６Ｃに示されたような一部の実施形態において、第１の傾斜表面９０２及び第２の傾斜表面９０４を含む端部キャップ９００が提供される。傾斜地点は、噛み合い部５１６が、そうでない場合より小さくなることを可能なようにし、より大きい要素がユーザの皮膚に不便にタッチされることを防止できる。端部キャップ９００は、カートリッジ３００の一部でありうるか、または別の部品としてカートリッジ３００に連結されることができ、端部キャップ９００は、永久的な取付物であるか、除去可能な１つないし任意の個数のピースでありうる。
【０１２８】
端部キャップ９００と噛み合い部５１６との間の相互作用は、髪を剃る間、後方にチルトされる間、そして、かみそり圧力が加えられる場合、カートリッジヘッド３００の停止を制御するために必須である。これは、カートリッジヘッド３００の最大チルト角度または停止地点を生成する。プッシュピン２４０は、カートリッジヘッドの前後チルトを制御することを助けるが、かみそり圧力が加えられる場合、安定した停止地点を有する程度に十分に強くてはない。かみそり圧力が最大圧力に到達すれば、確実かつ軟らかいかみそりのために、カートリッジが止まるようにする強力な停止地点がなければならない。これは、端部キャップ９００及び相応する接合部が重要な理由のうちの１つである。
【０１２９】
図４６Ａ〜図４６Ｃに示された実施形態において、図示されたように、端部キャップ９００は、図４６に示されたようにカートリッジ３００の両端部に塗布される。一般的に、端部キャップは、同様に形成されるが、異なるように形成されることができる。カートリッジ端部を覆い、カートリッジと連結されるように構成された内部セクション９０６がある。図示された実施形態において、カートリッジは、陥没部（ｉｎｄｅｎｔｓ、９０８）を有し、端部キャップ９００は、陥没部に挟まれるタブ９１０を有する。したがって、図示されたスナップ連結がある。他の実施形態において、端部キャップ９００とカートリッジ３００との間の任意の類型、または任意の個数の永久的な連結、あるいは非永久的な連結がありうる。
【０１３０】
内部及び外部領域の端部キャップ９００は、任意の形状、サイズ、またはデザインでありうる。表示された側面には上端の平たい面があり、上端側面の端部は、ラウンドされるか（または、任意の形状である）（ラウンド形態は、軟らかいかみそり効果があり）、それぞれの面にトランジションを有する。その後、各側面壁は、カートリッジが内部に入る内部ボディ空洞を越えて延長される。左側側面から始めて、右側側面から始めると、反対になることができ、丸い底エッジまたは（タッチされれば、皮膚との軟らかい接触のための）任意の形状を有し、その後、左側内部側面の第１の傾斜表面９０２、第２の傾斜表面９０４に向けて上部に任意の角度でトランジションされる。第２の傾斜表面９０４に対する第１の傾斜表面９０２が第１の傾斜部分であり、第２の傾斜地点９０４は、壁がメインボディ空洞の最内側の平たい中間部分に向けて傾斜した地点である。最内側の中間セグメント９１２に対する第２の傾斜表面９０４が第２の傾斜部分である。
【０１３１】
最も中間セグメント９１２は、扁平なまたは丸い形状を有することができ、任意の形状を有することができ、任意のサイズでありうるし、その後、第２の傾斜部分を生成する第２の傾斜地点９０４に向けて下向き角をなし、第１の傾斜表面９０２である右側内部側面壁の最下層部分に向けるように角度を形成する。左側及び右側内部側面壁は、各側面に２つの角度を有し、２つの角度は、メインボディ空洞の最も中間部分に向けて内部に向かい、第１の傾斜部分をプロング（ｐｒｏｎｇ）と呼び、角度は止まる。カミソリの第１の傾斜部分の各側面を介してこれらの２つの内部側面壁が付加されたプロング停止部は、本発明の極めて重要な部分である。普通、第１の傾斜部分は、第２の傾斜部分よりさらに大きいが、任意の長さ、サイズ、または形状になることができる。
【０１３２】
スイベルアーム５１０に対してカートリッジ３００のスイベルのための間隙（ｃｌｅａｒａｎｃｅ）を提供するために、中間セグメント９１２が第１及び第２の傾斜表面９０２、９０４に対して上昇される。
【０１３３】
第１及び第２の傾斜表面９０２、９０４無しで、噛み合い部５１６だけがカートリッジを停止させることを補助するために使用される。したがって、停止部の角度を減少させる唯一の方法は、噛み合い部５１６のサイズを増加させることであった。消費者に正しいかみそり角度を得るために、問題は、噛み合い部５１６が大き過ぎると、剃られる間、カミソリのほとんどが露出するであろう。より大きいか、露出した表面が髪を剃る間、ユーザの皮膚をタッチするであろうし、これが問題であり、これは、かみそり表面を経て延長されることができるので、これにより、ユーザの皮膚をタッチし、不快感を感じるようになる。
【０１３４】
第１の傾斜表面９０２をカートリッジ３００のエッジを越えて延長させることにより、第１の傾斜地点は、噛み合い部５１６と接触することができ、ユーザの皮膚に噛み合い部を少なく露出させる。
【０１３５】
第１の傾斜プロングの左側及び右側内部側面壁は、カートリッジの各側面を停止させ、これは、スイベルアーム５１０と第１の角度プロング停止部の内部左側及び右側側面間で相互作用が起こるところである。カートリッジの第１の側面が髪を剃るのに使用される場合、ユーザは、髪を剃り、正常なかみそり圧力を加える場合、カートリッジヘッド３００は、後方にチルトされ、スイベルアーム５１０の噛み合い部５１６は、第１の傾斜表面９０２のそれぞれの側面に対して停止されて、カートリッジがそれ以上後方にチルトされないようにし、かみそり角度を制御する。このような角度は、任意の角度でありうるし、通常、内部第１の傾斜プロングの角度またはサイズを調整するか、スイベルアーム５１０の噛み合い部５１６の角度またはサイズを調整することによって調整されることができる。スイベルアームの噛み合い部５１６と端部キャップ９００の第１の傾斜表面９０２とは、カートリッジ３００の両端部で同時に発生する。しかし、端部キャップ９００は、相違した時間に接触するように構成されることができ、一方にのみ接触するように構成されることもできる。
【０１３６】
カートリッジ３００の第１のかみそり側面が鈍くなる場合、ユーザは、カートリッジの第２のかみそり側面に切り換える。これから、ユーザがかみそり圧力を加える場合、スイベルアーム５１０の噛み合い部５１６の対向側面に対して、そして端部キャップ９００の第２の傾斜地点９０４に対して停止し、止まる。これは、かみそり角度を制御して、カートリッジがそれ以上後方にチルトされることを停止させる。一側面は、第１のかみそり側面が使用されるときに使用され、他の側面は、第２のかみそり側面が使用されるときに使用される。
【０１３７】
私達がこれを説明する方式が当該技術分野における通常の知識を有する者に様々な方法で達成され得るということを知ることが重要であり、したがって、この機能及び目的が現在知られたまたは未来に開発されるどの方法でも達成され得ることを知るようになる。
【０１３８】
端部キャップ９００は、カートリッジ３００の一部であり、１つないし任意の数のピースからなる別のピースでカートリッジ３００に連結されることができ、端部キャップは、カートリッジの部分になることができ、カートリッジの端部または部分になることができる。カートリッジ３００及び端部キャップ９００並びにスイベルアーム５１０は、本出願において議論された全てのフィーチャを有することができ、カートリッジ３００を連結する金属バンドまたはカートリッジ３００を共に連結する現在知られたまたは未来に開発される金属バンドを有することができる。端部キャップ９００は、カートリッジヘッド３００に接触される場合の端部キャップ９００停止領域上にゴムまたは任意のばねあるいはクッション材料を有することができる。これは、カートリッジヘッド３００に圧力を加えることを助け、髪を剃る間、カートリッジヘッド３００が後方にチルトされる場合に、これは、ばねとクッション材質を内部に圧縮する。これは、プッシュピン２４０とともに、カートリッジヘッドに常に圧力を加えることができるようにする。
【０１３９】
図４６に示された実施形態において、スイベルアーム５１０は、他の実施形態のそれと異なるスイベルアーム停止部または噛み合い部５１６を有することができる。カートリッジ３００が後方にチルトされて、端部キャップ９００またはカートリッジ３００の任意の部分がスイベルアーム停止部または噛み合い部５１６に停止して止まると、これは、かみそり中にカートリッジ３００がスイベルされるか、後方にチルトされ得る最大地点である。噛み合い部５１６停止部は、任意の形状、デザイン、またはサイズでありうるし、一部の実施形態では、ユーザーが望むかみそり角度に角度を手動で調整することにより、かみそり角度を調節できる部分を有することができる。これは、望む角度に到達するために、これをスライドして移動させる部分やレバーを有することができる。または、固定式アイテムでありうるし、ツール処理の間にかみそり角度を調整する唯一の方法であり、金型を調整して停止領域材料（プラスチック、ゴム、またはその他の材料）またはセクションを多少露出させることができ、これは、かみそり角度と停止地点を生成する。スイベルアーム５１０は、任意の形状、デザイン、またはサイズでありうるし、現在知られたまたは未来に開発される任意の方式でカートリッジ３００に取り付けられることができる。スイベルアーム５１０は、カートリッジに除去可能であるか、永久的に連結されることができる。
【０１４０】
スイベルアーム５１０の噛み合い部５１６は、ゴム、またはクッション、あるいはばねタイプの材料を有することができる。このような材料または噛み合い部５１６は、付加された部分でありうるので、カートリッジヘッド３００が使用されないとき、前方位置にあるように圧力を加えることを助けることができる。添加された材料は、部分的にプラスチックでありうるし、クッション材料は、ＴＰＲゴム、または添加されたゴム材料、あるいは金型内に注入された任意の材料でありうる。
【０１４１】
連結ブロック２５０が上部延長部２６２を含まない一実施形態において、ユーザが第１または第２のかみそり領域を剃るとき、カートリッジ３００は、スイベルアーム結合ピン５１２に沿ってピボットして、プッシュピン２４０のガイドチップ２４８は第１または第２の軌跡３４４、３８４に上向き偏向力（ｂｉａｓｉｎｇ  ｆｏｒｃｅ）を加えてカートリッジ３００がボタン２１０及びインタラプト３９４から遠ざかるようにピボットさせて、プッシュピン２４０のガイドチップ２４８に噛み合う（図２９Ｅ）。インタラプト３９４とガイドチップ２４８との噛み合いは、カートリッジ３００が他の側面に不注意にひっくり返されることを防止し、インタラプト３９４は、ガイドチップ２４８に対してカートリッジ３００の角度回転に対する停止部として作用する。
【０１４２】
図２８Ａ〜図２８Ｄ及び図２９Ａ〜図２９Ｄの実施形態において、ユーザが第１のかみそり領域３３０または第２のかみそり領域３７０のうち、いずれか１つを用いて髪を剃ることを可能なようにするために、またはその逆も成立し、第１の方向６１０（図３０Ａ）から第２の方向６２０（図３０Ｉ）へのハンドル１００に対する組立体６００の方向の切り換えは非常に達成し易く、その逆も成立する。カミソリ５０を用いて第１のかみそり領域３３０がボタン２１０から遠ざかる方向に向けた第１の方向６１０（図３０Ａ）から始めて、ユーザは、ハンドル１００を把持し、ハンドル１００から組立体６００を分離し、引っ張るために（図３０Ｃ；図４５Ｂ）、他の手で組立体６００を把持する間に、片手でボタン２１０を上に加圧するであろう（図３０Ｂ；図４５Ａ）。一応、組立体６００がハンドル１００から分離されれば、カートリッジ３００は、スイベルアーム連結５００に対して自由にフローティングされる。組立体６００が以後に第２の方向６２０に回転（図３０Ｄ〜図３０Ｈ；図４５Ｃ）され、第２のかみそり領域３７０は、ボタン２１０から離間して向かい合い、ハンドル１００を介してコネクタ構造２００と整列されて配置される。組立体６００をハンドル１００上に取り付ける前に、カートリッジ３００は、後方にピボットされて（図３０Ｈ；図４５Ｄ）、第１及び第２の軌跡３４４、３８４間のインタラプト３９４がプッシュピン２４０の上部延長部２６０及びガイドチップ２４８を経て延長され、組立体６００がハンドル１００に取り付けられる場合（図３０Ｉ〜図３０Ｊ；図４５Ｅ）、インタラプト３９４は、連結ブロック２５０の上部延長部２６２（図２７Ｂ）の上部表面２６３上に配置され、プッシュピン２４０のガイドチップ２４８は、連結ブロック２５０の第１の軌跡３４４の下部パッド領域３４０上に第１の軌跡３４４（図２７Ａ）と結合される。好ましい実施形態において、図３０Ｇに示されたように、インタラプト３９４がプッシュピン２４０のガイドチップ２４８を衝撃して組立体６００とハンドル１００との結合を防止するので、カートリッジ３００がハンドル１００と垂直に整列される間、カートリッジ３００は、ハンドル１００に取り付けられることができないであろう。これは、カートリッジ３００が好ましくは、スイベルアーム連結５００に対して初期にピボットされるか、または傾斜するようになる理由である。スイベルアーム連結に対するカートリッジのピボットまたは角度調節は、プッシュピンがガイドチップをクリアし、第１または第２の軌跡をタッチするのに単に十分でなければならないということである。
【０１４３】
他の実施形態において、ハンドルに対する組立体６００の配向を切り換えるための過程は、同様に、簡単に達成することができる。例えば、図２３Ｅ〜図２３Ｆに示された実施形態において、カートリッジ３００を再度配向させて組立体６００の方向は修正される。したがって、ユーザは、ハンドル１００を把持し、ボタン２１０をプッシュしてスイベルアーム連結５００からカートリッジ３００を先に除去するであろう。ボタン２１０の移動は、その後、スイベルアーム５１０が外部に切り換えられるようにし、カートリッジ３００を解除するであろう。ユーザは、その後、カートリッジをフリップし、カートリッジ３００を回転構成に再挿入し、したがって、第２のかみそり側面は、正確なかみそり位置であり、ボタンを解除するようになり、スイベルアーム５００は内部に切り換えられ、カートリッジ３００を掴み取るようになる。カートリッジ３００を配置するにあって、ユーザがカートリッジ３００をピボットし、図３０Ｈ〜図３０Ｊに対して議論されたように、プッシュピン２４０のガイドチップ２４８の上部延長部を越えて延長され、カートリッジ３００がスイベルアーム５１０により掴み取るようになる場合、インタラプト３９４は、例えば、図２７Ｂに示されたように、上部延長部２６２の上部表面上に配置される。
【０１４４】
他の実施形態（図３１）において、ハンドル１００は、結合端部１４０が自由端部１３０に対して回転され得るように回転ジョイント１８０を含むことができる。このような構成は、単に単一方向を許してコネクタ構造２００が単純化されるか、または全て除去されることを可能なようにし、ハンドル１００とひっくり返すことができる両面カートリッジ３００の両方を含む完全な使い捨てカミソリ５０を可能なようにする。このような回転ジョイント１８０は、ハンドル１００またはネック（ｎｅｃｋ）領域の長さに沿って様々な位置に、またはユーザがハンドルを介してグリップを変更すべき必要無しで安らかなホールディングのためにハンドルが依然として制御され得るようにする任意の位置に配置されることができる。ハンドル１００は、人体工学的にデザインされることが好ましいので、ユーザが第１の側面を使用し、第１の側面が鈍くなると、ジョイント連結１８０によってカートリッジ周辺を回転させて、人体工学的ハンドルが他のかみそり側面を基準として正しい位置にあるように消費者はカートリッジを他のかみそり側面に容易に変更して正しい位置に変更させることを可能なようにする。このような実施形態において、ハンドル及びグリップは普遍的であり、ハンドル１００に対してカートリッジの任意の方向にカミソリを掴むのに使用されることができる。このような実施形態において、回転ジョイント１８０周辺でターミナル端部１３０に対してハンドル１４０の結合端部１４０を回転させることにより、カートリッジの方向が反転され得る。ジョイント１８０が使用中に回転しないように、例えば、回転ジョイント１８０が回転を可能なようにするよう、ボタン（図示せず）を押すことによって解除されなければならないロック手段（図示せず）をさらに備えることができる。一実施形態において、回転ジョイントは、１８０度または任意の異なる角度で回転するように制限されることができ、その運動範囲のいずれか１つの終端の位置に固定されることができる。回転ジョイント１８０は、現在知られたまたは未来に開発される任意の種類のターンテーブルメカニズムでありうる。他の類型のジョイントも可能である。カートリッジ３００は、その後に前述した方法のうち、任意の方法で連結されることができるか、永久的に連結されたり、除去されることができる。図３１の実施形態は、使い捨てカミソリにも活用することができる。連結及び回転ジョイント１８０は、ハンドルとカートリッジの接合部にさらに配置されることができる。対案的な実施形態において、回転ジョイント１８０は、本願に説明された任意の他の実施形態に適用されることができ、ハンドルに対するカートリッジの結合解除及び再結合が必要でないことがある。一実施形態において、カートリッジの両側面が使用された後にカートリッジは分離されることができ、さらに他の新しいカートリッジがハンドルに連結され得る。回転ジョイントは、ハンドルやネックのいずれの位置にもあることができる。これは、今知っているか、未来に開発される任意の形状やデザインでありうる。
【０１４５】
このような回転連結１８０は、例えば、図３２の実施形態のハンドル１００とスイベルアーム組立体６００とカートリッジとの間、または、図３３Ａ〜図３３Ｄの実施形態に示されたようなスイベルアーム連結５００とカートリッジ３００との間のインターフェースに同様に適用されることができる。図３２Ａの実施形態において、カートリッジ及びスイベルアーム組立体６００は、ハンドル１００の結合端部１４０とインターフェースされる回転可能なピン連結で終端する。このような実施形態において、組立体６００は、ハンドル１００の結合端部１４０でコネクタ構造２００により掴まれることができる。組立体６００の方向を反対にするために、ユーザは、ボタン２２０を押して組立体６００を解除し、組立体６００を回転させ、コネクタ構造体２００により把持されるまでピン連結を再度挿入することができる。このような実施形態において、カミソリカートリッジは、ボタン側面で後面側面に連結される。
【０１４６】
図３２Ａ〜図３２Ｅの実施形態は、ハンドル１００から延長されるプッシュピン２４０がないカミソリ５０の実施形態をさらに示す。ハンドルに対するカートリッジの相手移動をよりよく例示するために、スイベルアーム連結が図示されていないこのような実施形態において、ハンドル１００はボタン２１０を有するが、スイベルアーム５１０とカートリッジ３００とに連結するための連結部品を有さない。その代りに、スイベルアーム連結５００の上部中間セクションは、剛性（ｓｔｉｆｆ）でありうるが、好ましくは、可撓性のある可撓性ピン５９０を有する。このようなデザインは、使い捨てカミソリまたは非使い捨てカミソリのためにデザインされることができる。使い捨てカミソリの場合、可撓性ピン５９０及びスイベルアーム連結（図示せず）はハンドルの一部でありうるし、カートリッジは、ユーザがそれを購入するときに組み立てられるか、スイベルアーム連結に連結されることができる。または、ユーザが本願に説明されたように、スイベルアームにカートリッジを組み立てる必要がありうる。
【０１４７】
このような可撓性ピン５９０は、スイベルアーム組立体５００、カートリッジ３００、またはハンドル１００上の任意の位置に配置されることができ、永久的に固定されるか、除去可能でありうる。これは、ゴムで作られることができるか、スイベルアーム組立体５００の射出金型部分になることができる。カートリッジ３００がハンドル１００に取り付けられるとき、可撓性ピン５９０は、カートリッジ３００の後方側と接触して、かみそり圧力が加えられれば、カートリッジヘッドは、可撓性ピン５９０を後方に加圧し、加圧が解除されれば、可撓性ピン５９０は、カートリッジ３００を元の位置に加圧する。可撓性ピン５９０は、ハンドル１００の軸に沿って延長されることができ、したがって、スイベルアーム組立体５００から垂直に延長され得るか、角度または任意の位置あるいは角度で曲げられることができる。したがって、ユーザが第２の側面を用いて髪を剃ることができるようにカートリッジ３００が逆転されるとき、可撓性ピン５９０は、カートリッジ３００の元のかみそり側面、これから後方側面と接触される。図３２Ｂ〜図３２Ｅに示されたように、カートリッジ３００は、カートリッジ３００のかみそり側面を切り換えることを望むとき、可撓性ピン５９０を経て強制的に加圧されることができ、このとき、可撓性ピン５９０は、初期にカートリッジ３００の第２の側面３５０上の軌跡３８４と接触し、可撓性ピン５９０がカートリッジ３００の第１の側面３１０上の軌跡３３に接触（図３２Ｅ）するまでインタラプト３９４を通るように強制される（図３２Ｃ〜図３２Ｄ）。
【０１４８】
図３３Ａ〜図３３Ｅの実施形態は、両面カミソリカートリッジ３００を他面に切り換え、カートリッジを交替する速くかつ容易い方法の一実施形態を示す。カートリッジ３００は、この実施形態において本明細書に言及された任意のカートリッジの実施形態と同様な両面カートリッジであり、関連パッド、パッド領域などとともに、アーム組立体５００に除去可能に固定され、この実施形態において剛性であり、ボール及びソケットジョイントで、任意の材料または任意のデザインあるいは形状で作られたボールジョイント７００を用いてスイベルされずに、どこでも位置するが、ボールジョイント７００と結合されるように構成された、ソケット５７０及びカートリッジ３００の下部から延長され、アーム５１０の間に維持される。この実施形態において、アーム５１０は、スイベルされないが、その代りに、ブレース５７４で屈曲される。一実施形態において、ソケット５７０は、スナップフィット組立体または一部他の可撓性連結を可能なようにする材料で製造され、このようなサイズを有するソケット５７０及びボールジョイント７００のうちの１つを有し、単純にボールジョイント７００より小さい表面にある孔（ｈｏｌｅ）でありうる。組立体６００の方向を反対にするために、ユーザは、カートリッジの端部からカートリッジを掴み、スイベルアーム組立体５００から引っ張って、ボール及びソケットジョイントが解除されてカートリッジ３００を回転させ、ソケット３７０内にボールジョイント７００を再定着させる。スイベルアーム組立体５００は、ボールジョイント７００がソケット５７０に定着するとき、カートリッジ３００の回転を防止するためのブレース（ｂｒａｃｅ、５７４）及びソケット５７０を維持するためのクロスバー５７２をさらに備えることができる。ブレース５７４は、スイベルアーム組立体の一方にのみありうるし、任意の長さ、または任意の個数、及び任意のサイズ、または形状、あるいは位置及びジョイントが屈曲され、曲げられることを可能なようにし、破損されないプラスチック、ゴムなどのような任意の材質でありうる。これは、髪を剃る間、そしてかみそり圧力が印加される間５００、カートリッジヘッドを支持することを補助し、これらは、後面図（図３３Ｄ）及び側面図（図３３Ｃ）で見ることができるが、正面図（図３３Ｂ）では見えないので、カミソリ５０の使用に干渉を起こさない。図示された実施形態は、カートリッジ３００がハンドル１００に対し屈曲され得るように、スイベルアーム組立体の屈曲地点をさらに備える（図３３Ｅ）。カミソリ５０または任意の両面カミソリは、様々な屈曲地点または回転地点をさらに備えることができる（図３４Ａ〜図３４Ｂ）。
【０１４９】
一部の実施形態において、結合端部１４０が自由端部１３０に対して屈曲され得るように屈曲ポイント１９０がハンドル１００に提供され得る。これは、相違したかみそり表面の輪郭に沿って髪を剃る間、または、使用中に衝撃を吸収するためのものでありうるし、適用されるメカニズムは、例えば、可撓性材料で製造されたハンドル１００の短いセグメントまたはばね装着メカニズムでありうるか、または現在知られたまたは未来に開発される任意の類型、任意の形状、またはデザインされた任意の位置でありうる。一実施形態において、屈曲地点５８０がスイベルアーム連結５００に提供されて、スイベルアーム５１０がかみそり表面の相違した輪郭にわたって髪を剃る間、衝撃吸収剤として作用できるようにする。このような屈曲ポイント５８０は、様々な構成で提供されることができ、相違したメカニズム（図３４Ａ〜図３４Ｂ）を利用できる。代案的に、カミソリ５０のネックは、カートリッジ３００がハンドル１００に対して屈曲されるようにする可撓性材料を含むことができる（図３３Ｅ；図３４Ｃ）。一部の実施形態において、様々な屈曲地点は、ヒンジとして提供されることができ、適切な抵抗を有するように構成されることができる。代案的に、前記スイベルアーム５１０は、可撓性材料で製造されることができ、これらは、代案的にスイベルアーム５１０の様々な地点での適正量の可撓性を生成するためにテーパリングされることができる。代案的に、組立体５３０の一部は、スイベルアーム５１０の代りに自ら屈曲されることができる。
【０１５０】
ヒンジ領域は、ゴム、プラスチックでありうるか、または、ゴムコーティングを有することができるか、または材料の組み合わせで製造されることができる。カミソリ５０の相違した部分に任意の個数の可撓性ヒンジがありうる。カミソリの任意の部分にしたがった他の可撓性特徴を含む他の実施形態が可能である。特定の実施形態において、ネックは、髪を剃る間、カミソリ５０を支持するようにデザインされた停止領域またはブロック支持体１９５（図３４Ｃ）をさらに備えることができる。したがって、髪を剃る間、カミソリ５０のネックは屈曲されるであろうが、カートリッジ３００がブロック支持体１９５と接触する地点を越えて屈曲されない。一実施形態において、カートリッジ３００上の他の位置、またはカートリッジ３００の方向にしたがう第１の軌跡３４４または第２の軌跡３８４のような、ブレード以外のカートリッジ３００の一部分を衝撃するように任意のサイズまたは形状でありうるか、任意の位置にありうるブロック支持体１９５が配置される。ブロック支持体１９５は、様々な材料または材料の組み合わせを含むことができる。一部の実施形態において、ブロック支持体１９５は、常に屈曲に抵抗するようにカートリッジ３００と持続的に接触するように構成される。一部の実施形態において、ブロック支持体１９５は圧縮され、圧縮抵抗は、統合された材料の構成によって増加する。他の構成も可能である。
【０１５１】
一実施形態において、カミソリ５０は、コネクタ構造２００の衝撃吸収メカニズムをさらに利用することができる（図３５）。一実施形態において、コネクタ構造２００は、例えば。スイベルアーム連結５００のフード５４０を定着させる構造物２００の部分に自分の独立的な衝撃吸収メカニズム２８０を含むことができる。したがって、コネクタ構造２００は、定着位置に若干の可撓性を付加するための複数の水平ばね２８４及び垂直ばね２８２を任意の位置に含むことができる。したがって、フード５４０は、安定した定着部で提供されることができるが、衝撃がカートリッジ３００に加えられる場合に可撓性でありうる。このような機構は、ハンドル１００に対するカートリッジ３００の若干の回転をさらに許すことができる。現在知られたまたは未来に開発される構造が可能であり、考慮されることができる。
【０１５２】
一実施形態において、カミソリ５０は、コネクタ構造物２００にピボット２９０をさらに提供（図３６）して、スイベルアーム連結５００とともに、カートリッジ３００がハンドル１００に対して側面から側面にスイベルされることができ、例えば、髪を剃る間、ユーザの顔輪郭にカートリッジがマッチングされるようにする。このような側面対側面移動は、付加的なかみそり柔軟性を可能なようにすることができ、ピボット地点、または軸、コイル、あるいはそういうピボット２９０を可能なようにする任意の他のメカニズムを有することができる。このようなカートリッジ３００をピボットすることは、一直線の位置（ｓｔｒａｉｇｈｔｅｎｅｄ  ｐｏｓｉｔｉｏｎ）にさらに強制する、コイルのようなピボット地点２９０でのメカニズムに張力（ｔｅｎｓｉｏｎ）を印加できる。これは、付加的な屈曲地点を統合したり、説明されたピボット地点を、他のところで説明された他の屈曲地点と結合して様々な方法で実現されることができる。
【０１５３】
図３７に示された一実施形態において、カミソリ５０は、カートリッジ３００にリセスされたトリマーブレード７１０をさらに提供することができる。このようなトリマーブレード７１０は、カートリッジ３００の１つ、または両側面３１０、３５０に適用されることができ、上部パッド領域３２０の後側に後退されるか、または他の位置にありうる。このようなトリマーブレード７１０は、到達し難い地点でユーザが髪を剃ることを補助し、カートリッジ３００のいずれか一側面で使用されることができる。代案的に、個別トリマーブレード７１０が各側面に提供され得る。トリマーブレード７１０は、頬ひげのような特定位置でかみそりを一直線にすることを補助できる。トリマーは、複数のブレードを含むことができ、図面に具体的に示されたもの以外の様々な方式で位置され、傾斜した形態でありうる。特定の実施形態において、トリマーブレード７１０は、カートリッジの一側面にのみ提供され、例えば、ユーザが一面を用いて髪を剃った後、カートリッジをひっくり返してカートリッジの他面上のトリミングブレードを用いて仕上げることができる。
【０１５４】
一実施形態において、ハンドルは、バッテリ１７２のような電源及びモータ１７４を含む振動組立体１７０を含むことができる（図３８）。代案的に、または振動特徴に付加して、例えば、振動組立体１７０と同様なバッテリ１７２を用いるバッテリ電源トリマー１７６が提供され得る。一実施形態において、トリマー１７６は、ハンドル１００の自由端部１３０に位置することができる。したがって、一端部は、トリマーを有することができることに対し、第２端部は、両面カミソリカートリッジ３００を有することができる。代案の実施形態において、ヘッド−類型（ｈｅａｄ−ｔｙｐｅ）が相互交換可能なようにカートリッジ３００のようにトリマーがカミソリ５０に取り付けられ得る。このような構成は、電源システムが現在知られたまたは未来に作られる任意の方式でありうる、コネクタ構造２００及びカートリッジ３００を介してルーティングされることを要求することができる。一実施形態において、一端部にトリマーを備える代わりに、他の実施形態は、両面カミソリカートリッジを有し、電池作動式トリマーに代替されることができる。したがって、両面カミソリで同じ端部に使用することができ、必要な場合、トリマーとして使用されることができる。
【０１５５】
一実施形態において、ハンドル１００には、ＬＥＤ光源、オン／オフスイッチ、またはボタンのような照明フィーチャ、及びバッテリレベル、オン／オフなどのような電子目的のための表示子が提供され得る。トリマーは、現在知られたまたは未来に開発される様々なデザインを保有していなければならない。サイズや形状が多様でありうるし、任意の個数のブレードを使用することができる。トリミングまたは切断する毛の長さを調整できるガードがありうる。これはハンドルに永久的に取り付けられることができるか、同じバッテリ１７２及びモータ１７４を使用するようにデザインされたノーズヘアトリマー（ｎｏｓｅ  ｈａｉｒ  ｔｒｉｍｍｅｒ）のような相違した構成要素に分離可能であり、交替可能でありうる。
【０１５６】
一実施形態において、カミソリ５０の各端部には、トリマー１７６が使用中であるとき、カートリッジ３００が覆われ得るようにカバーまたはシュラウドが提供され得るし、その逆も成立する。このようにすることにより、ユニットを掴むとき、ユーザが切られることを防止する。
【０１５７】
本明細書において議論されたスイベルアーム連結５００の実施形態は、一対のアームを図示しているが、カンチレバ（ｃａｎｔｉｌｅｖｅｒｅｄ）スイベルアームデザインのような、複数のアームを単一スイベルアームに交替するか、または付加的な安全性のためにより多くの複数のアームに交替することを含むが、これに限定されない他の実施形態が考慮されることが理解され得るであろう。現在知られたまたは未来に開発される全てのメカニズムを含んで、追加の様々な連結メカニズムが考慮され得る。連結部がカートリッジ３００の開口に埋め込まれたスイベルアーム５１０の結合ピンである実施形態において、任意の個数のピンが提供され得るし、これらは、複数の形状で提供されることができる。例えば、成形されたピンは、例えば、噛み合い部に代えて、スイベルアームに対してカートリッジ３００の回転移動を制限するのに使用されることができる。ピンは、アームのより容易な備蓄（ｄｅｐｏｓｉｔ）が可能なように傾斜したりテーパリングされることができ、スイベルアーム５１０は、カートリッジ３００内に結合ピンの挿入を許すために、様々な方向に屈曲されるように構成されることができる。一実施形態において、消費者が全体カートリッジ及びスイベルアーム連結組立体６００を除去するように、またはスイベルアーム連結が永久的でありうるか、または一実施形態において消費者がスイベルアーム連結と独立的にカートリッジ３００を交替できるようにカートリッジとスイベルアーム連結との間の連結が除去可能でありうる。したがって、一実施形態において、カートリッジ３００内に一応配置されれば、さらに除去し難いように結合ピンは一側面上に平坦になり、永久的なまたは半永久的である連結を招くことができる。
【０１５８】
結合ピンは、任意の形状、サイズ、位置などでありうるし、テーパリングを経て若干小さい周りにテーパリングされ得るように形状化されることができる。これは、ピンがカートリッジ３００に進入し、テーパリングを経て、より小さい周り上に置かれて、永久的な連結を可能なようにする。
【０１５９】
ばねが説明される場合に、ばねは、現在公知されるか、未来に開発される任意の類型のばねでありうることを理解するであろう。その上、様々な類型の衝撃吸収剤、ガスばね、及び圧縮表面を含んで他の抵抗メカニズムも使用されることができる。
【０１６０】
説明された多くの部品は、射出成形されたプラスチックまたは相違した類型のゴムを含む様々な材料で製造されることができる。これは、例えば、熱可塑性ゴムでありうるので、永久的にプラスチックに注入されることができる。したがって、図面において単一部品として図示された複数の部品は、組み立てられることができる追加の小型部品を含むことができるか、図示された様々な部品が製造及び組立を容易にするために単一部品で結合されることができる。他の材料または材料の組み合わせが考慮される。
【０１６１】
一実施形態において、ホルダー８１０を介して配置される（選択的に）、取り付けられたカートリッジ３００を有し、一実施形態において、キットの任意の位置に位置するが、好ましくは、複数のカートリッジを維持するために、ホルダー８１０の下部に取り付けられるカートリッジホルダー８２０を有するカミソリハンドル１００を含むキット８００（図４３Ａ〜図４３Ｄ）でカミソリ５０が提供され得る。ホルダー８１０は、図４３Ｃ〜図４３Ｄのホルダー８１０ａのようなテーブルなどの支持表面上に置かれるか、または直角に配置（図４３Ａ〜図４３Ｂ）されることができる。または、他の組み合わせ及びキット構成が可能である。
【０１６２】
両面に同じブレードを有する対称的なカートリッジ３００が典型的に説明されたが、相違したブレードまたは相違した数のブレードがそれぞれの側面上に提供され得ることを理解するであろう。例えば、カートリッジ３００の一実施形態は、一側面上に３個のブレードを有し、他の側面上に５個のブレードを有することができ、一側面には、相違した保湿ストリップ、またはパッド、あるいはゲル保存部構成が提供され得る。同様に、カートリッジの一実施形態は、第１の丸い側面及び第２の直四角形側面を提供するように、各側面で相違して形成されることができる。これは、例えば、男性用で構成されたカートリッジ３００の第１の側面及び適切なローションとともに、女性用で構成された第２の側面を提供することでありうる。このような構成は、カップルのための便利な旅行パックを可能なようにし、１つの男性及び女性用カミソリを可能なようにする。カートリッジ３００のそれぞれの側面上に相違した形状のヘッドを含む様々な実施形態は、カートリッジ側面間を容易に区別することが好ましいか、必要な場合、各側面を容易に識別できるようにする。例えば、偶数日を識別するために、一側面が異なる色相や形状を有することができ、奇数日を識別するために、他の側面が異なる色相や形状を有することができるか、または、以前に言及された異なるユーザを区別するために形状が異なることもできる。他の変形及び組み合わせが可能である。
【０１６３】
また、一側面は、事前−カミソリまたは第１のパス用であることに対し、第２の側面は、最終カミソリ用でありうる。両面は、互いに異なるローションを含むことができ、相違したブレード、または相違した傾斜のブレード、あるいは相違したブレード数、相違したブレード構成などを有することができる。例えば、第１の側面上のブレードは、より厚いひげを除去し、ブレード間に広い空間を有するように、より多くの毛を除去するように構成されることができることに対し、第２の側面は。より細かいカミソリのために構成されることができる。カートリッジは、それぞれの面を識別するように表示されることができ、それぞれの面毎に他の用途でありうる。したがって、ここに言及された任意のブレードの間隔、数、及び／又は構成は、側面毎に相違することができる。他の変形及び組み合わせが可能である。
【０１６４】
一実施形態において、カートリッジ３００には、ユーザがカートリッジ３００の第２のかみそり側面を用いて髪を剃る間に、使用しないカートリッジの１つのかみそり側面を覆うための、または使用しない場合に両側面を全て覆うためのキャップが提供され得る。このようなキャップは、カートリッジ３００の機能的部分が露出するように構成されることができる。このようなキャップは、さらに例えば、使用中に水と毛がブレードを介して濯がれ得るように、ブレードとカバーとの間に公差（ｃｌｅａｒａｎｃｅ）をおくように構成されることができる。
【０１６５】
例えば、男性と女性のための別のカートリッジのような多重カートリッジを有する、旅行のための全体カートリッジ３００を覆うためにキャップが提供され得る。また、様々な類型のカミソリカートリッジを保存するためにトレイが提供されるか、カートリッジが汎用トレイに保存されるように構成されることができる。
【０１６６】
カートリッジの様々な実施形態は、任意の数の相違した美学的または機能的デザインを提供するようにデザインされることができる。これは、例えば、楕円形の丸いヘッドを含むことができ、周辺領域は、保湿ストリップ、水和ゲル、パッド、潤滑剤、水活性化ゲル、クリーム、または水和ゲル保存部の組み合わせで提供されることができる。これらは、任意の物質にも作られることができ、髪を剃る間、より細かいかみそり、または刺激減少を可能なようにするカミソリで消費者に助けになることができる密着カミソリ保湿剤、ビタミン、またはその他の成分、あるいはその他の物質を提供できる。周辺領域は除去可能でありうるし、例えば、周辺領域を介してのスナップによることのように、他の周辺領域に代替されることができる。ブレードを覆う全体周りは、パッド領域またはその一部でありうる。したがって、ユーザは、要求されるカートリッジを対応する好ましい保湿剤またはかみそりクリームと混合して整合させることができる。
【０１６７】
特定の実施形態において、周辺領域の一部は、ユーザの顔の輪郭に適応できるように、羽根のような方式で屈曲されることができる。したがって、周辺領域により塗布された保湿剤のような任意の製品は、使用中により均一に塗布されることができ、より軟らかく、細かいカミソリを可能なようにする。
【０１６８】
特定の実施形態において、カミソリには、消費者がカミソリのいずれの面を使用するかを示す表示子がそれぞれの面に提供され得るので、消費者は、それらが始めにいずれの側面を使用し、いずれの側面がまだ使用されていないかを知るようになる。動く部分やボタンがありうるし、消費者にいずれの側面が使用されているかを表示する色相や任意の類型の表示子を表示できる。表示子は、異なる色相のゴムパッド、保湿ストリップ、プラスチック色相、プラスチックマーク、数字、またはインデント部分を使用するように、単純でありうる。これは、一側面から他の側面まで異なる種類のマーカや表示子でありうるので、消費者が識別できる。一部の実施形態において、表示子は、摩耗に敏感でありうるし、例えば、摩耗を示すために色が変わり、ユーザにカミソリの第２の側面に切り換えらなければならないことを示すことができる。
【０１６９】
１つの特定コネクタ構造２００が詳細に説明されたが、様々な構造が可能であるということを理解するであろう。例えば、一部の実施形態において、ボタン２１０を、ハンドル１００を介して上向き移動させることは、複数の部品の動作を生成できる。例えば、コネクタ構造２００は、組立体に上向き圧力を加えるために、中央ピンとともにカートリッジ及びスイベルアーム連結組立体６００の一部を掴む２つのペンチ（ｐｉｎｃｅｒ）を含むことができる。そういう実施形態において、ボタン２１０を上向きに押すと、中心ピンを介して圧力を加えることができ、同時に、ペンチを解除できる。このように、組立体６００をコネクタ構造２００に維持させる力は解除され、同時に、組立体６００を放出する力が印加される。
【０１７０】
一部の実施形態において、一対のペンチがハンドル構造物に提供され得るし、ペンチは、互いに対して移動しないことがある。このようなペンチは、カートリッジヘッドの対応スロットに固定されることができ、タブは、ペンチを固定するために、ペンチ等間でカートリッジヘッドから延長されることができる。このような実施形態において、ボタン２１０を押すことは、カートリッジヘッド内のタブを押すために、ハンドルボディからタブを延長することができ、これにより、ペンチを解除し、ハンドルからカートリッジを分離できる。現在知られたまたは未来に開発される様々な類型の追加連結も可能である。
【０１７１】
一実施形態において、両面カミソリカートリッジを例えば、浴室カウンタ、シャワー器、引出し、または任意の位置に置くための両面カミソリスタンドがありうる。これは、両面カミソリカートリッジを掴んで垂直に（例えば、図４３Ａ〜図４３Ｂ参照）または水平に（図４３Ｃ〜図４３Ｄ参照）取扱うようにデザインされることができる。スタンドには、使用しない間、乾燥するために、各ブレード間に入る乾燥パッドがありうる。または、ユーザがカミソリを受け台またはホルダーに再度置くときに点けられるバッテリ作動式乾燥器がありうる。一実施形態において、ユーザがスタンドからカミソリを除去すれば、なんのことも起こらないが、ユーザがスタンドまたはホルダーに再度置くとき、ファンは、調整可能な時間、例えば、２０秒点けられ、自動に消える。乾燥器は、ファン、モータ、バッテリソースなどで構成されることができる。一実施形態において、ブレード及びカートリッジ内部で完全な角度で指示するエアーダクト及び排出口があるであろうし、それぞれの使用後にカートリッジを乾燥させることを補助する。
【０１７２】
一実施形態において、任意の数の両面カミソリカートリッジが配置され得る両面カミソリカートリッジ交替パックまたは隔室（ｃｏｍｐａｒｔｍｅｎｔ）がありうる。一実施形態において、任意の数のカートリッジに挟まれ得るプラスチックトレイ（例えば、図４３Ａの８２０）がありうる。両面カミソリカートリッジを正確な位置にガイドするためのガイドを内部に有することができ、カートリッジを容易に入れることができる。両面カミソリカートリッジトレイは、本願に説明されたカートリッジ組立体の機能に合うように特別にデザインされることができる。一実施形態において、代替パックは、単独に、または複数のカミソリカートリッジ、あるいはパック及びハンドルを含む導入キットの一部として販売されることができる（例えば、図４３Ａ〜図４３Ｄ）。このような交替パックは、内部に両面交替用カートリッジがあり、消費者に販売されることができる。このような両面交替カートリッジは、両面カートリッジが鈍い場合、両面カートリッジカミソリを交替するのに使用することができる。このような方式で、消費者は、新しいカミソリハンドルを購買し続ける必要がなく、両面カミソリカートリッジの交替用パックのみを購入すればよい。両面カミソリカートリッジは、交替用パックまたは隔室内に定着されて取り付けられるか、またはスナップフィットを有することができる。ユーザがハンドル結合領域を使用してカートリッジ面のカートリッジ装着領域内に挿入し、両面カートリッジを引き出してカミソリを始めることができるようにデザインされることができる。カートリッジ取付隔室連結は、交替パックベースのベースから上向きに向かうようにして、ハンドル結合連結により挿入される完全な位置にあるようになる。
【０１７３】
伝統的な使い捨てカミソリとして、消費者が使い捨てカミソリの８個の値のパックを購入すれば、例えば、８個の単一カミソリカートリッジに永久的に取り付けられた８個のハンドルを含む８個の使い捨てカミソリが提供され得る。しかし、本発明の一実施形態に係る使い捨て両面カミソリキットにより、消費者は、１個の使い捨てカミソリハンドルと４個の使い捨て両面カミソリカートリッジを取得できる。これは、４個の使い捨て両面カミソリカートリッジが消費者に８個のかみそり側面のカートリッジと１つのハンドルを提供できることを意味する。このような使い捨て両面カミソリシステムを使用すれば、消費者は、環境的や消費者の財布に大きな利益と節約効果を提供しながら、８パックの使い捨てカミソリに一般的に提供される４個の追加カートリッジ及び７個の他のハンドルを捨てなくてもよい。本発明の両面カミソリを使用すれば、商店陳列台及び消費者の家庭で多量の陳列空間を占める複数の一面使い捨てカミソリバックまたはパックを有する代りに、消費者は、単に１つのハンドル及び余分の両面カミソリカートリッジを必要とし、これは、小売店と消費者には、最も少ない陳列空間を占めるようになるであろう。
【０１７４】
両面カミソリカートリッジヘッドは、ここに言及されるか、他の方式で公知されるか、開発された任意の類型のデザインまたは仕様を有することができる。使い捨て両面カミソリカートリッジヘッドの実施形態は、保湿ストリップ、またはパッド、あるいは任意類型のパッド、あるいは保湿ストリップ、もしくは任意の類型のかみそり表面デザイン、もしくは現在知られたか、未来に開発される材料を有することができる。使い捨て両面カミソリの実施形態は、プッシュピン、カートリッジヘッド支持体、カートリッジプッシュ結合領域、カートリッジ停止部、または本明細書に言及された任意の仕様を有することができる。両面カミソリ及び使い捨て両面カミソリパッド、またはかみそり表面の実施形態は、髪を剃る間、保湿セラム（ｓｅｒｕｍ）が皮膚を水和させ得る小さい孔（ｐｏｒｅ）、または水和ゲル保存部を有することができる。両面カートリッジヘッドの実施形態は、前後に、またはブレード表面領域を囲む任意の部分を屈曲させるか、曲げることができる。使い捨て両面カミソリの実施形態がデザインされ、ここで、プッシュピンは、ゴムまたは他の可撓性材料で製造され、両面カミソリカートリッジの両面に使用されるように成形及びデザインされることができる。ゴムは、可撓性であろうし、剛性（ｓｔｉｆｆ）でありうるし、ゴムまたはその他の材料で作られることができ、サイズが決まることができ、現在知られたまたは未来に開発される任意の方式で形成されるか、デザインされることができる。ゴム可撓性プッシュピンの実施形態は、カミソリハンドル上部領域内に成形され得るか、または永久的であるか、分離可能な別の部品でありうる。連結アームの実施形態は、ハンドルの上部内に成形されることができ、カミソリハンドルの一部でありうる。連結アームの実施形態は、内側及び外側に移動して両面カミソリカートリッジと連結されるように可撓性でありうるし、ユーザは、ハンドル及び連結アームをカミソリカートリッジヘッド側に押すことができ、アームコネクタは、プロングを有することができ、アームがカートリッジヘッドと接触されるとき、アームは屈曲されて開放され、アームのプロング連結が他の女性用隔室領域に到達すれば、カートリッジヘッド女性用隔室連結領域とアームとは屈曲されて、それらの正常位置に復帰される。これは、カートリッジヘッドの雌型連結領域のうちの１つに挿入されるアーム連結のうち、１つにより行われた後，プロングが他の側面カートリッジヘッド女性用隔室に到達するまで他のアーム連結領域及びプロングは、他の側面上に押されるようになり、他の側面上のアームは、外部に屈曲された後、アームは屈曲されて、それらの正常位置に復帰され、アームとハンドルとは、これからカミソリカートリッジに連結される。
【０１７５】
一実施形態において、ユーザが第１のかみそり側面を使用してカミソリを完了すれば、ユーザは、アームのうちの１つを外側に引くことができ、アームとハンドルとは、カートリッジから分離されることができる。ゴム固定ピンがある、このようなデザインは、全ての類型のカミソリとともに使用することができるので、使い捨てカミソリにのみ使用されるものではない。本発明の実施形態は、可撓性アームを有するカートリッジアームを説明するが、アームとハンドルとの連結及び両面カミソリカートリッジは、本願で言及されるか、未来に開発される任意の類型でありうる。アーム及び連結部の実施形態は、アームがカートリッジヘッドに連結されるように内側または外側に動くボタン作動式でありうるし、本明細書に説明されるか、未来に開発される任意の類型のプッシュピン、ゴムなどを有することができる。
【０１７６】
本発明は、いくつかの説明された実施形態等に対してある程度の長さ及びある程度の特定性として説明されたが、そういう特定事項、または実施形態、あるいは任意の特定の実施形態に限定されることと意図されたものではないが、先行技術の観点でそういう請求の範囲の最も広範な可能な解釈を提供し、したがって、本発明の意図された範囲を効果的に含むように添付された請求の範囲に対する参照として解釈される。また、現在予想されていない、本発明の顕著な修正は、それにもかかわらず、前述した説明と等価であることを示すにもかかわらず、前述した説明は、発明者により予想される実施形態の観点で発明を説明する。  
【図１】
2018503454.tif 000003
【図２】
2018503454.tif 000004
【図３】
2018503454.tif 000005
【図４】
2018503454.tif 000006
【図５】
2018503454.tif 000007
【図６】
2018503454.tif 000008
【図７】
2018503454.tif 000009
【図８Ａ】
2018503454.tif 000010
【図８Ｂ】
2018503454.tif 000011
【図９Ａ】
2018503454.tif 000012
【図９Ｂ】
2018503454.tif 000013
【図１０】
2018503454.tif 000014
【図１１Ａ】
2018503454.tif 000015
【図１１Ｂ】
2018503454.tif 000016
【図１１Ｃ】
2018503454.tif 000017
【図１２Ａ】
2018503454.tif 000018
【図１２Ｂ】
2018503454.tif 000019
【図１２Ｃ】
2018503454.tif 000020
【図１２Ｄ】
2018503454.tif 000021
【図１２Ｅ】
2018503454.tif 000022
【図１２Ｆ】
2018503454.tif 000023
【図１２Ｇ】
2018503454.tif 000024
【図１３】
2018503454.tif 000025
【図１４Ａ】
2018503454.tif 000026
【図１４Ｂ】
2018503454.tif 000027
【図１４Ｃ】
2018503454.tif 000028
【図１４Ｄ】
2018503454.tif 000029
【図１４Ｅ】
2018503454.tif 000030
【図１４Ｆ】
2018503454.tif 000031
【図１４Ｇ】
2018503454.tif 000032
【図１５】
2018503454.tif 000033
【図１６Ａ】
2018503454.tif 000034
【図１６Ｂ】
2018503454.tif 000035
【図１７】
2018503454.tif 000036
【図１８Ａ】
2018503454.tif 000037
【図１８Ｂ】
2018503454.tif 000038
【図１８Ｃ】
2018503454.tif 000039
【図１８Ｄ】
2018503454.tif 000040
【図１９Ａ】
2018503454.tif 000041
【図１９Ｂ】
2018503454.tif 000042
【図２０Ａ】
2018503454.tif 000043
【図２０Ｂ】
2018503454.tif 000044
【図２０Ｃ】
2018503454.tif 000045
【図２０Ｄ】
2018503454.tif 000046
【図２０Ｅ】
2018503454.tif 000047
【図２０Ｆ】
2018503454.tif 000048
【図２０Ｇ】
2018503454.tif 000049
【図２０Ｈ】
2018503454.tif 000050
【図２０Ｉ】
2018503454.tif 000051
【図２１Ａ】
2018503454.tif 000052
【図２１Ｂ】
2018503454.tif 000053
【図２１Ｃ】
2018503454.tif 000054
【図２２Ａ】
2018503454.tif 000055
【図２２Ｂ】
2018503454.tif 000056
【図２３Ａ】
2018503454.tif 000057
【図２３Ｂ】
2018503454.tif 000058
【図２３Ｃ】
2018503454.tif 000059
【図２３Ｄ】
2018503454.tif 000060
【図２３Ｅ】
2018503454.tif 000061
【図２３Ｆ】
2018503454.tif 000062
【図２４】
2018503454.tif 000063
【図２５Ａ】
2018503454.tif 000064
【図２５Ｂ】
2018503454.tif 000065
【図２６Ａ】
2018503454.tif 000066
【図２６Ｂ】
2018503454.tif 000067
【図２７Ａ】
2018503454.tif 000068
【図２７Ｂ】
2018503454.tif 000069
【図２８Ａ】
2018503454.tif 000070
【図２８Ｂ】
2018503454.tif 000071
【図２８Ｃ】
2018503454.tif 000072
【図２８Ｄ】
2018503454.tif 000073
【図２９Ａ】
2018503454.tif 000074
【図２９Ｂ】
2018503454.tif 000075
【図２９Ｃ】
2018503454.tif 000076
【図２９Ｄ】
2018503454.tif 000077
【図２９Ｅ】
2018503454.tif 000078
【図３０Ａ】
2018503454.tif 000079
【図３０Ｂ】
2018503454.tif 000080
【図３０Ｃ】
2018503454.tif 000081
【図３０Ｄ】
2018503454.tif 000082
【図３０Ｅ】
2018503454.tif 000083
【図３０Ｆ】
2018503454.tif 000084
【図３０Ｇ】
2018503454.tif 000085
【図３０Ｈ】
2018503454.tif 000086
【図３０Ｉ】
2018503454.tif 000087
【図３０Ｊ】
2018503454.tif 000088
【図３１】
2018503454.tif 000089
【図３２Ａ】
2018503454.tif 000090
【図３２Ｂ】
2018503454.tif 000091
【図３２Ｃ】
2018503454.tif 000092
【図３２Ｄ】
2018503454.tif 000093
【図３２Ｅ】
2018503454.tif 000094
【図３３Ａ】
2018503454.tif 000095
【図３３Ｂ】
2018503454.tif 000096
【図３３Ｃ】
2018503454.tif 000097
【図３３Ｄ】
2018503454.tif 000098
【図３３Ｅ】
2018503454.tif 000099
【図３４Ａ】
2018503454.tif 000100
【図３４Ｂ】
2018503454.tif 000101
【図３４Ｃ】
2018503454.tif 000102
【図３５】
2018503454.tif 000103
【図３６】
2018503454.tif 000104
【図３７】
2018503454.tif 000105
【図３８】
2018503454.tif 000106
【図３９Ａ】
2018503454.tif 000107
【図３９Ｂ】
2018503454.tif 000108
【図４０Ａ】
2018503454.tif 000109
【図４０Ｂ】
2018503454.tif 000110
【図４１Ａ】
2018503454.tif 000111
【図４１Ｂ】
2018503454.tif 000112
【図４１Ｃ】
2018503454.tif 000113
【図４２Ａ】
2018503454.tif 000114
【図４２Ｂ】
2018503454.tif 000115
【図４２Ｃ】
2018503454.tif 000116
【図４２Ｄ】
2018503454.tif 000117
【図４２Ｅ】
2018503454.tif 000118
【図４２Ｆ】
2018503454.tif 000119
【図４２Ｇ】
2018503454.tif 000120
【図４３Ａ】
2018503454.tif 000121
【図４３Ｂ】
2018503454.tif 000122
【図４３Ｃ】
2018503454.tif 000123
【図４３Ｄ】
2018503454.tif 000124
【図４３Ｅ】
2018503454.tif 000125
【図４３Ｆ】
2018503454.tif 000126
【図４３Ｇ】
2018503454.tif 000127
【図４４Ａ】
2018503454.tif 000128
【図４４Ｂ】
2018503454.tif 000129
【図４４Ｃ】
2018503454.tif 000130
【図４４Ｄ】
2018503454.tif 000131
【図４５Ａ】
2018503454.tif 000132
【図４５Ｂ】
2018503454.tif 000133
【図４５Ｃ】
2018503454.tif 000134
【図４５Ｄ】
2018503454.tif 000135
【図４５Ｅ】
2018503454.tif 000136
【図４６Ａ】
2018503454.tif 000137
【図４６Ｂ】
2018503454.tif 000138
【図４６Ｃ】
2018503454.tif 000139
【図４７Ａ】
2018503454.tif 000140
【図４７Ｂ】
2018503454.tif 000141
【図４７Ｃ】
2018503454.tif 000142
【図４７Ｄ】
2018503454.tif 000143
【図４７Ｅ】
2018503454.tif 000144
【図４８Ａ】
2018503454.tif 000145
【図４８Ｂ】
2018503454.tif 000146
【図４８Ｃ】
2018503454.tif 000147
【国際調査報告】
2018503454.tif 000148
2018503454.tif 000149